(57)【特許請求の範囲】
【請求項１】
圧縮機、熱源側熱交換器、複数の絞り装置、及び、熱源側冷媒と熱媒体とで熱交換する複数の熱媒体間熱交換器の冷媒側流路が接続されて熱源側冷媒を循環させる冷媒循環回路が形成された空気調和装置であって、
前記冷媒循環回路には、
前記熱源側熱交換器の前後を接続して前記熱源側熱交換器を迂回するバイパス配管と、
前記熱源側熱交換器に流れる熱源側冷媒の流路及び前記バイパス配管に流れる冷媒の流路のうち一方を絞ると同時に他方を開く熱源側冷媒流量調整装置と、を設け、
前記熱源側熱交換器に空気を供給する熱源側送風装置を備え、
前記熱源側送風装置の回転数の制御と、前記熱源側冷媒流量調整装置による熱源側冷媒流量制御と、を連携して実行し、
前記熱源側熱交換器での必要熱交換量が所定値よりも大きいとき、
前記熱源側送風装置の回転数の制御を、前記熱源側冷媒流量調整装置による熱源側冷媒流量制御に優先して実行し、
前記熱源側熱交換器での必要熱交換量が所定値よりも小さくなったとき、
前記熱源側冷媒流量調整装置による熱源側冷媒流量制御を、前記熱源側送風装置の回転数の制御に優先して実行する
ことを特徴とする空気調和装置。
【請求項２】
前記熱源側冷媒流量調整装置は、
前記熱源側熱交換器に流れる熱源側冷媒の流量及び前記バイパス配管に流れる冷媒の流量の割合を調整可能である
ことを特徴とする請求項１に記載の空気調和装置。
【請求項３】
前記冷媒循環回路を流れている熱源側冷媒の略全部が前記熱源側冷媒流量調整装置を通過するようにしている
ことを特徴とする請求項１又は２に記載の空気調和装置。
【請求項４】
前記熱源側冷媒流量調整装置が、
三方流量調整装置、あるいは、複数の二方流量調整装置である
ことを特徴とする請求項１〜３のいずれか一項に記載の空気調和装置。
【請求項５】
前記熱源側熱交換器の伝熱面積と熱通過率との積であって、前記熱源側熱交換器が発揮することができる最大のものに対する比率の制御目標をＡＫｎとし、
前記熱源側送風装置によって制御可能な前記ＡＫｎの範囲のうち最小値をＡＫｍｉｎとしたときに、
前記ＡＫｎが前記ＡＫｍｉｎよりも小さい場合、前記熱源側冷媒流量調整装置の前記バイパス配管への開度が、最大開度×（１−ＡＫｎ／ＡＫｍｉｎ）となるように制御される
ことを特徴とする請求項１〜４のいずれか一項に記載の空気調和装置。
【請求項６】
前記熱源側熱交換器を並列に接続した複数の熱交換器で構成したものにおいて、
前記複数の熱交換器のうちの一部の前後に設置した冷媒流路遮断装置と、
前記複数の熱交換器のうちの少なくとも一部の一端または他端と前記圧縮機の吸入側の流路とを接続する余剰冷媒回収配管と、
前記余剰冷媒回収配管に設置した余剰冷媒回収装置と、を備えた
ことを特徴とする請求項１〜５のいずれか一項に記載の空気調和装置。
【請求項７】
前記複数の熱交換器の全部を使用して熱交換させ、かつ、前記バイパス配管にはほとんど熱源側冷媒を流さない第一熱交換モードと、
前記複数の熱交換器のうちの一部を使用して熱交換させ、かつ、前記バイパス配管にはほとんど熱源側冷媒を流さない第二の熱交換モードと、
前記複数の熱交換器のうちの一部を使用して熱交換させ、かつ、前記熱交換器と前記バイパス配管とに流す熱源側冷媒の流量比を調整する第三の熱交換モードと、を備え、
前記第一の熱交換モードにおいては、
前記冷媒流路遮断装置を開とし、前記余剰冷媒回収装置を閉としている
ことを特徴とする請求項６に記載の空気調和装置。
【請求項８】
前記複数の熱交換器の全部を使用して熱交換させ、かつ、前記バイパス配管にはほとんど熱源側冷媒を流さない第一熱交換モードと、
前記複数の熱交換器のうちの一部を使用して熱交換させ、かつ、前記バイパス配管にはほとんど熱源側冷媒を流さない第二の熱交換モードと、
前記複数の熱交換器のうちの一部を使用して熱交換させ、かつ、前記熱交換器と前記バイパス配管とに流す熱源側冷媒の流量比を調整する第三の熱交換モードと、を備え、
前記第二の熱交換モード及び前記第三の熱交換モードにおいては、
前記冷媒流路遮断装置を閉とし、前記余剰冷媒回収装置を開としている
ことを特徴とする請求項６または７に記載の空気調和装置。
【請求項９】
前記熱源側熱交換器を構成する複数の熱交換器の容積を略同等としている
ことを特徴とする請求項６〜８のいずれか一項に記載の空気調和装置。
【請求項１０】
複数の熱媒体送出装置と、前記熱媒体と空調対象空間に係る空気とで熱交換を行なう複数の利用側熱交換器とを備え、
前記複数の熱媒体間熱交換器の熱媒体側流路に、前記複数の熱媒体送出装置と前記複数の利用側熱交換器とを接続して、複数の熱媒体循環回路を形成し、
前記複数の利用側熱交換器のそれぞれの入口側または出口側に、前記利用側熱交換器に対する熱媒体の循環量を調整する利用側流量制御装置を設置し、
前記複数の利用側熱交換器のそれぞれの入口側及び出口側に熱媒体の流路を切り換える熱媒体流路切替装置を設置している
ことを特徴とする請求項１〜９のいずれか一項に記載の空気調和装置。
【請求項１１】
前記圧縮機及び前記熱源側熱交換器は室外機に収容され、
前記複数の絞り装置、前記複数の熱媒体間熱交換器及び前記複数のポンプは熱媒体変換機に収容され、
前記利用側熱交換器は室内機に収容され、
前記室内機、前記熱媒体変換機、及び、前記室外機は、それぞれ別体に形成され、互いに離れた場所に設置できる
ことを特徴とする請求項１０に記載の空気調和装置。
【請求項１２】
前記室外機と前記熱媒体変換機とを少なくとも２本の冷媒配管で接続し、前記熱媒体変換機と前記室内機とを２本の熱媒体配管で接続している
ことを特徴とする請求項１１に記載の空気調和装置。
【発明の詳細な説明】
【技術分野】
【０００１】
本発明は、たとえばビル用マルチエアコン等に適用される空気調和装置に関するものである。
【背景技術】
【０００２】
ビル用マルチエアコンなどの空気調和装置においては、たとえば建物外に配置した熱源機である室外機と建物の室内に配置した室内機との間に冷媒を循環させる。そして、冷媒が放熱、吸熱して、加熱、冷却された空気により空調対象空間の冷房または暖房を行なっていた。冷媒としては、たとえばＨＦＣ（ハイドロフルオロカーボン）冷媒が多く使われている。また、二酸化炭素（ＣＯ2 ）等の自然冷媒を使うものも提案されている。【０００３】
また、チラーと呼ばれる空気調和装置においては、建物外に配置した熱源機にて、冷熱または温熱を生成する。そして、室外機内に配置した熱交換器で水、不凍液等を加熱、冷却し、これを室内機であるファンコイルユニット、パネルヒーター等に搬送して冷房または暖房を行なっていた（たとえば、特許文献１参照）。【０００４】
また、排熱回収型チラーと呼ばれる、熱源機と室内機の間に４本の水配管を接続し、冷却、加熱した水等を同時に供給し、室内機において冷房または暖房を自由に選択できるものもある（たとえば、特許文献２参照）。【０００５】
また、１次冷媒と２次冷媒の熱交換器を各室内機の近傍に配置し、室内機に２次冷媒を搬送するように構成されているものもある（たとえば、特許文献３参照）。【０００６】
また、室外機と熱交換器を持つ分岐ユニット間を２本の配管で接続し、室内機に２次冷媒を搬送するように構成されているものもある（たとえば、特許文献４参照）。
【先行技術文献】
【特許文献】
【０００７】
【特許文献１】特開２００５−１４０４４４号公報（第４頁、図１等）
【特許文献２】特開平５−２８０８１８号公報（第４、５頁、図１等）
【特許文献３】特開２００１−２８９４６５号公報（第５〜８頁、図１、図２等）
【特許文献４】特開２００３−３４３９３６号公報（第５頁、図１）
【発明の概要】
【発明が解決しようとする課題】
【０００８】
従来のビル用マルチエアコン等の空気調和装置では、室内機まで冷媒を循環させているため、冷媒が室内等に漏れる可能性があった。一方、特許文献１及び特許文献２に記載されているような空気調和装置では、冷媒が室内機を通過することはない。しかしながら、特許文献１及び特許文献２に記載されているような空気調和装置では、建物外の熱源機において熱媒体を加熱または冷却し、室内機側に搬送する必要がある。このため、熱媒体の循環経路が長くなる。ここで、熱媒体により、所定の加熱あるいは冷却の仕事をする熱を搬送しようとすると、搬送動力等によるエネルギーの消費量が冷媒よりも高くなる。そのため、循環経路が長くなると、搬送動力が非常に大きくなる。このことから、空気調和装置において、熱媒体の循環をうまく制御することができれば省エネルギー化を図れることがわかる。【０００９】
特許文献２に記載されているような空気調和装置においては、室内機毎に冷房または暖房を選択できるようにするためには室外側から室内まで４本の配管を接続しなければならず、工事性が悪いものとなっていた。特許文献３に記載されている空気調和装置においては、ポンプ等の２次媒体循環手段を室内機個別に持つ必要があるため、高価なシステムとなるだけでなく、騒音も大きいものとなり、実用的なものではなかった。加えて、熱交換器が室内機の近傍にあるため、冷媒が室内に近い場所で漏れるという危険性を排除することができなかった。【００１０】
特許文献４に記載されているような空気調和装置においては、熱交換後の１次冷媒が熱交換前の１次冷媒と同じ流路に流入しているため、複数の室内機を接続した場合に、各室内機にて最大能力を発揮することができず、エネルギー的に無駄な構成となっていた。また、分岐ユニットと延長配管との接続が冷房２本、暖房２本の合計４本の配管でなされているため、結果的に室外機と分岐ユニットとが４本の配管で接続されているシステムと類似の構成となっており、工事性が悪いシステムとなっていた。【００１１】
本発明は、上記の課題を解決するためになされたもので、省エネルギー化を図ることができる空気調和装置を得るものである。また、室内機または室内機の近傍まで冷媒を循環させずに安全性の向上を図ることができる空気調和装置を得るものである。さらに、室外機と分岐ユニット（熱媒体変換機）または室内機との接続配管を減らし、工事性の向上を図るとともに、エネルギー効率を向上させることができる空気調和装置を得るものである。
【課題を解決するための手段】
【００１２】
本発明に係る空気調和装置は、圧縮機、熱源側熱交換器、複数の絞り装置、及び、熱源側冷媒と熱媒体とで熱交換する複数の熱媒体間熱交換器の冷媒側流路が接続されて熱源側冷媒を循環させる冷媒循環回路が形成された空気調和装置であって、前記冷媒循環回路には、前記熱源側熱交換器の前後を接続して前記熱源側熱交換器を迂回するバイパス配管と、前記熱源側熱交換器に流れる熱源側冷媒の流路及び前記バイパス配管に流れる冷媒の流路のうち一方を絞ると同時に他方を開く熱源側冷媒流量調整装置と、を設け、前記熱源側熱交換器に空気を供給する熱源側送風装置を備え、前記熱源側送風装置の回転数の制御と、前記熱源側冷媒流量調整装置による熱源側冷媒流量制御と、を連携して実行し、前記熱源側熱交換器での必要熱交換量が所定値よりも大きいとき、前記熱源側送風装置の回転数の制御を、前記熱源側冷媒流量調整装置による熱源側冷媒流量制御に優先して実行し、前記熱源側熱交換器での必要熱交換量が所定値よりも小さくなったとき、前記熱源側冷媒流量調整装置による熱源側冷媒流量制御を、前記熱源側送風装置の回転数の制御に優先して実行するものである。
【発明の効果】
【００１３】
本発明に係る空気調和装置は、熱源側熱交換器に流れる熱源側冷媒の流量及びバイパス配管に流れる冷媒の流量の割合を調整可能な熱源側冷媒流量調整装置を設けているので、空気調和装置が実行する運転状態に関わらず、確実に安定した省エネ運転ができる。
【図面の簡単な説明】
【００１４】
【図１】本発明の実施の形態に係る空気調和装置の設置例を示す概略図である。
【図２】本発明の実施の形態に係る空気調和装置の設置例を示す概略図である。
【図３】本発明の実施の形態に係る空気調和装置の回路構成の一例を示す概略回路構成図である。
【図４】本発明の実施の形態に係る空気調和装置の回路構成の別の一例を示す概略回路構成図である。
【図５】本発明の実施の形態に係る空気調和装置の全冷房運転モード時における冷媒の流れを示す冷媒回路図である。
【図６】本発明の実施の形態に係る空気調和装置の全暖房運転モード時における冷媒の流れを示す冷媒回路図である。
【図７】本発明の実施の形態に係る空気調和装置の冷房主体運転モード時における冷媒の流れを示す冷媒回路図である。
【図８】本発明の実施の形態に係る空気調和装置の暖房主体運転モード時における冷媒の流れを示す冷媒回路図である。
【図９】本発明の実施の形態に係る空気調和装置の熱源側送風装置と熱源側冷媒流量調整装置との連携制御処理の流れの一例を示すフローチャートである。
【図１０】本発明の実施の形態に係る空気調和装置の回路構成の他の一例を示す概略回路構成図である。
【図１１】本発明の実施の形態に係る空気調和装置のＡＫ制御処理の流れの一例を示すフローチャートである。
【発明を実施するための形態】
【００１５】
以下、図面に基づいて本発明の実施の形態について説明する。
図１及び図２は、本発明の実施の形態に係る空気調和装置の設置例を示す概略図である。図１及び図２に基づいて、空気調和装置の設置例について説明する。この空気調和装置は、冷媒（熱源側冷媒、熱媒体）を循環させる冷凍サイクル（冷媒循環回路Ａ、熱媒体循環回路Ｂ）を利用することで各室内機が運転モードとして冷房モードあるいは暖房モードを自由に選択できるものである。なお、図１を含め、以下の図面では各構成部材の大きさの関係が実際のものとは異なる場合がある。
【００１６】
図１においては、本実施の形態に係る空気調和装置は、熱源機である１台の室外機１と、複数台の室内機２と、室外機１と室内機２との間に介在する熱媒体変換機３と、を有している。熱媒体変換機３は、熱源側冷媒と熱媒体とで熱交換を行なうものである。室外機１と熱媒体変換機３とは、熱源側冷媒を導通する冷媒配管４で接続されている。熱媒体変換機３と室内機２とは、熱媒体を導通する配管（熱媒体配管）５で接続されている。そして、室外機１で生成された冷熱あるいは温熱は、熱媒体変換機３を介して室内機２に配送されるようになっている。
【００１７】
図２においては、本実施の形態に係る空気調和装置は、１台の室外機１と、複数台の室内機２と、室外機１と室内機２との間に介在する複数に分割した熱媒体変換機３（親熱媒体変換機３ａ、子熱媒体変換機３ｂ）と、を有している。室外機１と親熱媒体変換機３ａとは、冷媒配管４で接続されている。親熱媒体変換機３ａと子熱媒体変換機３ｂとは、冷媒配管４で接続されている。子熱媒体変換機３ｂと室内機２とは、配管５で接続されている。そして、室外機１で生成された冷熱あるいは温熱は、親熱媒体変換機３ａ及び子熱媒体変換機３ｂを介して室内機２に配送されるようになっている。
【００１８】
室外機１は、通常、ビル等の建物９の外の空間（たとえば、屋上等）である室外空間６に配置され、熱媒体変換機３を介して室内機２に冷熱または温熱を供給するものである。室内機２は、建物９の内部の空間（たとえば、居室等）である室内空間７に冷房用空気あるいは暖房用空気を供給できる位置に配置され、空調対象空間となる室内空間７に冷房用空気あるいは暖房用空気を供給するものである。熱媒体変換機３は、室外機１及び室内機２とは別筐体として、室外空間６及び室内空間７とは別の位置に設置できるように構成されており、室外機１及び室内機２とは冷媒配管４及び配管５でそれぞれ接続され、室外機１から供給される冷熱あるいは温熱を室内機２に伝達するものである。
【００１９】
図１及び図２に示すように、本実施の形態に係る空気調和装置においては、室外機１と熱媒体変換機３とが２本の冷媒配管４を用いて、熱媒体変換機３と各室内機２とが２本の配管５を用いて、それぞれ接続されている。このように、本実施の形態に係る空気調和装置では、２本の配管（冷媒配管４、配管５）を用いて各ユニット（室外機１、室内機２及び熱媒体変換機３）を接続することにより、施工が容易となっている。
【００２０】
図２に示すように、熱媒体変換機３を、１つの親熱媒体変換機３ａと、親熱媒体変換機３ａから派生した２つの子熱媒体変換機３ｂ（子熱媒体変換機３ｂ（１）、子熱媒体変換機３ｂ（２））と、に分けることもできる。このようにすることにより、１つの親熱媒体変換機３ａに対し、子熱媒体変換機３ｂを複数接続できるようになる。この構成においては、親熱媒体変換機３ａと子熱媒体変換機３ｂとを接続する冷媒配管４は、３本になっている。この回路については、後段で詳細に説明するものとする（図４参照）。
【００２１】
なお、図１及び図２においては、熱媒体変換機３が、建物９の内部ではあるが室内空間７とは別の空間である天井裏等の空間（以下、単に空間８と称する）に設置されている状態を例に示している。熱媒体変換機３は、その他、エレベーター等がある共用空間等に設置することも可能である。また、図１及び図２においては、室内機２が天井カセット型である場合を例に示してあるが、これに限定するものではなく、天井埋込型や天井吊下式等、室内空間７に直接またはダクト等により、暖房用空気あるいは冷房用空気を吹き出せるようになっていればどんな種類のものでもよい。
【００２２】
図１及び図２においては、室外機１が室外空間６に設置されている場合を例に示しているが、これに限定するものではない。たとえば、室外機１は、換気口付の機械室等の囲まれた空間に設置してもよく、排気ダクトで廃熱を建物９の外に排気することができるのであれば建物９の内部に設置してもよく、あるいは、水冷式の室外機１を用いる場合にも建物９の内部に設置するようにしてもよい。このような場所に室外機１を設置するとしても、特段の問題が発生することはない。
【００２３】
また、熱媒体変換機３は、室外機１の近傍に設置することもできる。ただし、熱媒体変換機３から室内機２までの距離が長すぎると、熱媒体の搬送動力がかなり大きくなるため、省エネルギーの効果は薄れることに留意が必要である。さらに、室外機１、室内機２及び熱媒体変換機３の接続台数を図１及び図２に図示してある台数に限定するものではなく、本実施の形態に係る空気調和装置が設置される建物９に応じて台数を決定すればよい。
【００２４】
図３は、本実施の形態に係る空気調和装置（以下、空気調和装置１００と称する）の回路構成の一例を示す概略回路構成図である。図３に基づいて、空気調和装置１００の詳しい構成について説明する。図３に示すように、室外機１と熱媒体変換機３とが、熱媒体変換機３に備えられている熱媒体間熱交換器１５ａ及び熱媒体間熱交換器１５ｂを介して冷媒配管４で接続されている。また、熱媒体変換機３と室内機２とも、熱媒体間熱交換器１５ａ及び熱媒体間熱交換器１５ｂを介して配管５で接続されている。
【００２５】
［室外機１］
室外機１には、圧縮機１０と、四方弁等の第１冷媒流路切替装置１１と、熱源側熱交換器１２と、アキュムレーター１９とが冷媒配管４で直列に接続されて搭載されている。また、室外機１には、第１接続配管４ａ、第２接続配管４ｂ、逆止弁１３ａ、逆止弁１３ｂ、逆止弁１３ｃ、及び、逆止弁１３ｄが設けられている。第１接続配管４ａ、第２接続配管４ｂ、逆止弁１３ａ、逆止弁１３ｂ、逆止弁１３ｃ、及び、逆止弁１３ｄを設けることで、室内機２の要求する運転に関わらず、熱媒体変換機３に流入させる熱源側冷媒の流れを一定方向にすることができる。
【００２６】
さらに、室外機１には、ファン等の熱源側送風装置４４が熱源側熱交換器１２の近傍に設けられている。この熱源側送風装置４４は、熱源側熱交換器１２に空気を供給するものである。なお、後段で詳細に説明するが、室外機１には熱源側熱交換器１２の前後を接続して熱源側熱交換器１２を迂回するバイパス配管４ｃが熱源側冷媒流量調整装置４５を介して設けられている。熱源側冷媒流量調整装置４５は、熱源側熱交換器１２と逆止弁１３ａとの間に設けられている。バイパス配管４ｃは、熱源側冷媒流量調整装置４５と、第１冷媒流路切替装置１１と熱源側熱交換器１２との間の冷媒配管４と、を接続するように設けられている。
【００２７】
圧縮機１０は、熱源側冷媒を吸入し、その熱源側冷媒を圧縮して高温・高圧の状態にするものであり、たとえば容量制御可能なインバータ圧縮機等で構成するとよい。第１冷媒流路切替装置１１は、暖房運転時（全暖房運転モード時及び暖房主体運転モード時）における熱源側冷媒の流れと冷房運転時（全冷房運転モード時及び冷房主体運転モード時）における熱源側冷媒の流れとを切り替えるものである。熱源側熱交換器１２は、暖房運転時には蒸発器として機能し、冷房運転時には凝縮器（または放熱器）として機能し、ファン等の熱源側送風装置４４から供給される空気と熱源側冷媒との間で熱交換を行ない、その熱源側冷媒を蒸発ガス化または凝縮液化するものである。アキュムレーター１９は、圧縮機１０の吸入側に設けられており、過剰な冷媒を貯留するものである。
【００２８】
逆止弁１３ｄは、熱媒体変換機３と第１冷媒流路切替装置１１との間における冷媒配管４に設けられ、所定の方向（熱媒体変換機３から室外機１への方向）のみに熱源側冷媒の流れを許容するものである。逆止弁１３ａは、熱源側熱交換器１２と熱媒体変換機３との間における冷媒配管４に設けられ、所定の方向（室外機１から熱媒体変換機３への方向）のみに熱源側冷媒の流れを許容するものである。逆止弁１３ｂは、第１接続配管４ａに設けられ、暖房運転時において圧縮機１０から吐出された熱源側冷媒を熱媒体変換機３に流通させるものである。逆止弁１３ｃは、第２接続配管４ｂに設けられ、暖房運転時において熱媒体変換機３から戻ってきた熱源側冷媒を圧縮機１０の吸入側に流通させるものである。
【００２９】
第１接続配管４ａは、室外機１内において、第１冷媒流路切替装置１１と逆止弁１３ｄとの間における冷媒配管４と、逆止弁１３ａと熱媒体変換機３との間における冷媒配管４と、を接続するものである。第２接続配管４ｂは、室外機１内において、逆止弁１３ｄと熱媒体変換機３との間における冷媒配管４と、熱源側熱交換器１２と逆止弁１３ａとの間における冷媒配管４と、を接続するものである。なお、図３では、第１接続配管４ａ、第２接続配管４ｂ、逆止弁１３ａ、逆止弁１３ｂ、逆止弁１３ｃ、及び、逆止弁１３ｄを設けた場合を例に示しているが、これに限定するものではなく、これらを必ずしも設ける必要はない。
【００３０】
［室内機２］
室内機２には、それぞれ利用側熱交換器２６が搭載されている。この利用側熱交換器２６は、配管５によって熱媒体変換機３の熱媒体流量調整装置２５と第２熱媒体流路切替装置２３に接続するようになっている。この利用側熱交換器２６は、図示省略のファン等の送風機から供給される空気と熱媒体との間で熱交換を行ない、室内空間７に供給するための暖房用空気あるいは冷房用空気を生成するものである。
【００３１】
この図３では、４台の室内機２が熱媒体変換機３に接続されている場合を例に示しており、紙面下から室内機２ａ、室内機２ｂ、室内機２ｃ、室内機２ｄとして図示している。また、室内機２ａ〜室内機２ｄに応じて、利用側熱交換器２６も、紙面下側から利用側熱交換器２６ａ、利用側熱交換器２６ｂ、利用側熱交換器２６ｃ、利用側熱交換器２６ｄとして図示している。なお、図１及び図２と同様に、室内機２の接続台数を図３に示す４台に限定するものではない。
【００３２】
［熱媒体変換機３］
熱媒体変換機３には、２つの熱媒体間熱交換器１５と、２つの絞り装置１６と、２つの開閉装置１７と、４つの第２冷媒流路切替装置１８と、２つのポンプ２１と、４つの第１熱媒体流路切替装置２２と、４つの第２熱媒体流路切替装置２３と、４つの熱媒体流量調整装置２５と、が搭載されている。なお、熱媒体変換機３を親熱媒体変換機３ａと子熱媒体変換機３ｂとに分けたものについては図４で説明する。
【００３３】
２つの熱媒体間熱交換器１５（熱媒体間熱交換器１５ａ、熱媒体間熱交換器１５ｂ）は、凝縮器（放熱器）または蒸発器として機能し、熱源側冷媒と熱媒体とで熱交換を行ない、室外機１で生成され熱源側冷媒に貯えられた冷熱または温熱を熱媒体に伝達するものである。熱媒体間熱交換器１５ａは、冷媒循環回路Ａにおける絞り装置１６ａと第２冷媒流路切替装置１８ａ（１）、第２冷媒流路切替装置１８ａ（２）との間に設けられており、全暖房運転モード時において熱媒体の加熱に供し、全冷房運転モード時、冷房主体運転モード時及び暖房主体運転モード時において熱媒体の冷却に供するものである。
【００３４】
また、熱媒体間熱交換器１５ｂは、冷媒循環回路Ａにおける絞り装置１６ｂと第２冷媒流路切替装置１８ｂ（１）、第２冷媒流路切替装置１８ｂ（２）との間に設けられており、全暖房運転モード時、冷房主体運転モード時及び暖房主体運転モード時において熱媒体の加熱に供し、全冷房運転モード時において熱媒体の冷却に供するものである。
【００３５】
２つの絞り装置１６（絞り装置１６ａ、絞り装置１６ｂ）は、減圧弁や膨張弁としての機能を有し、熱源側冷媒を減圧して膨張させるものである。絞り装置１６ａは、冷房運転時の熱源側冷媒の流れにおいて熱媒体間熱交換器１５ａの上流側に設けられている。絞り装置１６ｂは、冷房運転時の熱源側冷媒の流れにおいて熱媒体間熱交換器１５ｂの上流側に設けられている。２つの絞り装置１６は、開度が可変に制御可能なもの、たとえば電子式膨張弁等で構成するとよい。
【００３６】
２つの開閉装置１７（開閉装置１７ａ、開閉装置１７ｂ）は、二方弁等で構成されており、冷媒配管４を開閉するものである。開閉装置１７ａは、熱源側冷媒の入口側における冷媒配管４に設けられている。開閉装置１７ｂは、熱源側冷媒の入口側と出口側の冷媒配管４を接続した配管に設けられている。
【００３７】
４つの第２冷媒流路切替装置１８（第２冷媒流路切替装置１８ａ（１）、第２冷媒流路切替装置１８ａ（２）、第２冷媒流路切替装置１８ｂ（１）、第２冷媒流路切替装置１８ｂ（２））は、二方弁等で構成され、運転モードに応じて熱源側冷媒の流れを切り替えるものである。第２冷媒流路切替装置１８ａ（１）及び第２冷媒流路切替装置１８ａ（２）（以下、第２冷媒流路切替装置１８Ａと称する）は、冷房運転時の熱源側冷媒の流れにおいて熱媒体間熱交換器１５ａの下流側に設けられている。第２冷媒流路切替装置１８ｂ（１）、第２冷媒流路切替装置１８ｂ（２）（以下、第２冷媒流路切替装置１８Ｂと称する）は、全冷房運転時の熱源側冷媒の流れにおいて熱媒体間熱交換器１５ｂの下流側に設けられている。
【００３８】
熱媒体送出装置である２つのポンプ２１（ポンプ２１ａ、ポンプ２１ｂ）は、配管５を導通する熱媒体を循環させるものである。ポンプ２１ａは、熱媒体間熱交換器１５ａと第２熱媒体流路切替装置２３との間における配管５に設けられている。ポンプ２１ｂは、熱媒体間熱交換器１５ｂと第２熱媒体流路切替装置２３との間における配管５に設けられている。２つのポンプ２１は、たとえば容量制御可能なポンプ等で構成するとよい。なお、ポンプ２１ａを、熱媒体間熱交換器１５ａと第１熱媒体流路切替装置２２との間における配管５に設けてもよい。また、ポンプ２１ｂを、熱媒体間熱交換器１５ｂと第１熱媒体流路切替装置２２との間における配管５に設けてもよい。
【００３９】
４つの第１熱媒体流路切替装置２２（第１熱媒体流路切替装置２２ａ〜第１熱媒体流路切替装置２２ｄ）は、三方弁等で構成されており、熱媒体の流路を切り替えるものである。第１熱媒体流路切替装置２２は、室内機２の設置台数に応じた個数（ここでは４つ）が設けられるようになっている。第１熱媒体流路切替装置２２は、三方のうちの一つが熱媒体間熱交換器１５ａに、三方のうちの一つが熱媒体間熱交換器１５ｂに、三方のうちの一つが熱媒体流量調整装置２５に、それぞれ接続され、利用側熱交換器２６の熱媒体流路の出口側に設けられている。なお、室内機２に対応させて、紙面下側から第１熱媒体流路切替装置２２ａ、第１熱媒体流路切替装置２２ｂ、第１熱媒体流路切替装置２２ｃ、第１熱媒体流路切替装置２２ｄとして図示している。
【００４０】
４つの第２熱媒体流路切替装置２３（第２熱媒体流路切替装置２３ａ〜第２熱媒体流路切替装置２３ｄ）は、三方弁等で構成されており、熱媒体の流路を切り替えるものである。第２熱媒体流路切替装置２３は、室内機２の設置台数に応じた個数（ここでは４つ）が設けられるようになっている。第２熱媒体流路切替装置２３は、三方のうちの一つが熱媒体間熱交換器１５ａに、三方のうちの一つが熱媒体間熱交換器１５ｂに、三方のうちの一つが利用側熱交換器２６に、それぞれ接続され、利用側熱交換器２６の熱媒体流路の入口側に設けられている。なお、室内機２に対応させて、紙面下側から第２熱媒体流路切替装置２３ａ、第２熱媒体流路切替装置２３ｂ、第２熱媒体流路切替装置２３ｃ、第２熱媒体流路切替装置２３ｄとして図示している。
【００４１】
４つの熱媒体流量調整装置２５（熱媒体流量調整装置２５ａ〜熱媒体流量調整装置２５ｄ）は、開口面積を制御できる二方弁等で構成されており、配管５に流れる熱媒体の流量を調整するものである。熱媒体流量調整装置２５は、室内機２の設置台数に応じた個数（ここでは４つ）が設けられるようになっている。熱媒体流量調整装置２５は、一方が利用側熱交換器２６に、他方が第１熱媒体流路切替装置２２に、それぞれ接続され、利用側熱交換器２６の熱媒体流路の出口側に設けられている。なお、室内機２に対応させて、紙面下側から熱媒体流量調整装置２５ａ、熱媒体流量調整装置２５ｂ、熱媒体流量調整装置２５ｃ、熱媒体流量調整装置２５ｄとして図示している。
【００４２】
なお、本実施の形態では、熱媒体流量調整装置２５は利用側熱交換器２６の出口側（下流側）に設ける場合を説明するが、これに限らず、一方を利用側熱交換器２６に、他方が第２熱媒体流路切替装置２３に接続し、利用側熱交換器２６の入口側（上流側）に設けるようにしてもよい。
【００４３】
また、熱媒体変換機３には、各種検出手段（２つの第１温度センサー３１、４つの第２温度センサー３４、４つの第３温度センサー３５、及び、圧力センサー３６）が設けられている。これらの検出手段で検出された情報（温度情報、圧力情報）は、空気調和装置１００の動作を統括制御する制御装置（図示省略）に送られ、圧縮機１０の駆動周波数、熱源側送風装置４４の回転数、利用側熱交換器２６近傍に設けられる図示省略の送風機の回転数、第１冷媒流路切替装置１１の切り替え、ポンプ２１の駆動周波数、第２冷媒流路切替装置１８の切り替え、熱媒体の流路の切替等の制御に利用されることになる。
【００４４】
２つの第１温度センサー３１（第１温度センサー３１ａ、第１温度センサー３１ｂ）は、熱媒体間熱交換器１５から流出した熱媒体、つまり熱媒体間熱交換器１５の出口における熱媒体の温度を検出するものであり、たとえばサーミスター等で構成するとよい。第１温度センサー３１ａは、ポンプ２１ａの入口側における配管５に設けられている。第１温度センサー３１ｂは、ポンプ２１ｂの入口側における配管５に設けられている。
【００４５】
４つの第２温度センサー３４（第２温度センサー３４ａ〜第２温度センサー３４ｄ）は、第１熱媒体流路切替装置２２と熱媒体流量調整装置２５との間に設けられ、利用側熱交換器２６から流出した熱媒体の温度を検出するものであり、サーミスター等で構成するとよい。第２温度センサー３４は、室内機２の設置台数に応じた個数（ここでは４つ）が設けられるようになっている。なお、室内機２に対応させて、紙面下側から第２温度センサー３４ａ、第２温度センサー３４ｂ、第２温度センサー３４ｃ、第２温度センサー３４ｄとして図示している。
【００４６】
４つの第３温度センサー３５（第３温度センサー３５ａ〜第３温度センサー３５ｄ）は、熱媒体間熱交換器１５の熱源側冷媒の入口側または出口側に設けられ、熱媒体間熱交換器１５に流入する熱源側冷媒の温度または熱媒体間熱交換器１５から流出した熱源側冷媒の温度を検出するものであり、サーミスター等で構成するとよい。第３温度センサー３５ａは、熱媒体間熱交換器１５ａと第２冷媒流路切替装置１８ａとの間に設けられている。第３温度センサー３５ｂは、熱媒体間熱交換器１５ａと絞り装置１６ａとの間に設けられている。第３温度センサー３５ｃは、熱媒体間熱交換器１５ｂと第２冷媒流路切替装置１８ｂとの間に設けられている。第３温度センサー３５ｄは、熱媒体間熱交換器１５ｂと絞り装置１６ｂとの間に設けられている。
【００４７】
圧力センサー３６は、第３温度センサー３５ｄの設置位置と同様に、熱媒体間熱交換器１５ｂと絞り装置１６ｂとの間に設けられ、熱媒体間熱交換器１５ｂと絞り装置１６ｂとの間を流れる熱源側冷媒の圧力を検出するものである。
【００４８】
また、図示省略の制御装置は、マイコン等で構成されており、各種検出手段での検出情報及びリモコンからの指示に基づいて、圧縮機１０の駆動周波数、送風機の回転数（ＯＮ／ＯＦＦ含む）、第１冷媒流路切替装置１１の切り替え、ポンプ２１の駆動、絞り装置１６の開度、開閉装置１７の開閉、第２冷媒流路切替装置１８の切り替え、第１熱媒体流路切替装置２２の切り替え、第２熱媒体流路切替装置２３の切り替え、及び、熱媒体流量調整装置２５の開度等を制御し、後述する各運転モードを実行するようになっている。なお、制御装置は、ユニット毎に設けてもよく、室外機１または熱媒体変換機３に設けてもよい。
【００４９】
熱媒体を導通する配管５は、熱媒体間熱交換器１５ａに接続されるものと、熱媒体間熱交換器１５ｂに接続されるものと、で構成されている。配管５は、熱媒体変換機３に接続される室内機２の台数に応じて分岐（ここでは、各４分岐）されている。そして、配管５は、第１熱媒体流路切替装置２２、及び、第２熱媒体流路切替装置２３で接続されている。第１熱媒体流路切替装置２２及び第２熱媒体流路切替装置２３を制御することで、熱媒体間熱交換器１５ａからの熱媒体を利用側熱交換器２６に流入させるか、熱媒体間熱交換器１５ｂからの熱媒体を利用側熱交換器２６に流入させるかが決定されるようになっている。
【００５０】
そして、空気調和装置１００では、圧縮機１０、第１冷媒流路切替装置１１、熱源側熱交換器１２、開閉装置１７、第２冷媒流路切替装置１８、熱媒体間熱交換器１５ａの冷媒流路、絞り装置１６、及び、アキュムレーター１９を、冷媒配管４で接続して冷媒循環回路Ａを構成している。また、熱媒体間熱交換器１５ａの熱媒体流路、ポンプ２１、第１熱媒体流路切替装置２２、熱媒体流量調整装置２５、利用側熱交換器２６、及び、第２熱媒体流路切替装置２３を、配管５で接続して熱媒体循環回路Ｂを構成している。つまり、熱媒体間熱交換器１５のそれぞれに複数台の利用側熱交換器２６が並列に接続され、熱媒体循環回路Ｂを複数系統としているのである。
【００５１】
よって、空気調和装置１００では、室外機１と熱媒体変換機３とが、熱媒体変換機３に設けられている熱媒体間熱交換器１５ａ及び熱媒体間熱交換器１５ｂを介して接続され、熱媒体変換機３と室内機２とも、熱媒体間熱交換器１５ａ及び熱媒体間熱交換器１５ｂを介して接続されている。すなわち、空気調和装置１００では、熱媒体間熱交換器１５ａ及び熱媒体間熱交換器１５ｂで冷媒循環回路Ａを循環する熱源側冷媒と熱媒体循環回路Ｂを循環する熱媒体とが熱交換するようになっている。
【００５２】
図４は、本実施の形態に係る空気調和装置（以下、空気調和装置１００Ａ（１）と称する）の回路構成の別の一例を示す概略回路構成図である。図４に基づいて、熱媒体変換機３を親熱媒体変換機３ａと子熱媒体変換機３ｂとに分けた場合の空気調和装置１００Ａ（１）の回路構成について説明する。図４に示すように、熱媒体変換機３は、親熱媒体変換機３ａと、子熱媒体変換機３ｂとで、筐体を分けて構成されている。このように構成することにより、図２に示したように１つの親熱媒体変換機３ａに対し、複数の子熱媒体変換機３ｂを接続することができる。
【００５３】
親熱媒体変換機３ａには、気液分離器１４と、絞り装置１６ｃと、が設けられている。その他の構成要素については、子熱媒体変換機３ｂに搭載されている。気液分離器１４は、室外機１に接続する１本の冷媒配管４と、子熱媒体変換機３ｂの熱媒体間熱交換器１５ａ及び熱媒体間熱交換器１５ｂに接続する２本の冷媒配管４と、に接続され、室外機１から供給される熱源側冷媒を蒸気状冷媒と液状冷媒とに分離するものである。絞り装置１６ｃは、気液分離器１４の液状冷媒の流れにおける下流側に設けられ、減圧弁や膨張弁としての機能を有し、熱源側冷媒を減圧して膨張させるものであり、冷房暖房混在運転時に、絞り装置１６ｃの出口を中圧に制御する。絞り装置１６ｃは、開度が可変に制御可能なもの、たとえば電子式膨張弁等で構成するとよい。このように構成することにより、親熱媒体変換機３ａに子熱媒体変換機３ｂを複数接続できるようになる。
【００５４】
空気調和装置１００が実行する各運転モードについて説明する。この空気調和装置１００は、各室内機２からの指示に基づいて、その室内機２で冷房運転あるいは暖房運転が可能になっている。つまり、空気調和装置１００は、室内機２の全部で同一運転をすることができるとともに、室内機２のそれぞれで異なる運転をすることができるようになっている。なお、空気調和装置１００Ａ（１）が実行する各運転モードについても同様であるので、空気調和装置１００Ａ（１）が実行する各運転モードについては説明を省略する。以下、空気調和装置１００には、空気調和装置１００Ａ（１）も含まれているものとする。
【００５５】
空気調和装置１００が実行する運転モードには、駆動している室内機２の全てが冷房運転を実行する全冷房運転モード、駆動している室内機２の全てが暖房運転を実行する全暖房運転モード、冷房負荷の方が大きい冷房暖房混在運転モードとしての冷房主体運転モード、及び、暖房負荷の方が大きい冷房暖房混在運転モードとしての暖房主体運転モードがある。以下に、各運転モードについて、熱源側冷媒及び熱媒体の流れとともに説明する。
【００５６】
［全冷房運転モード］
図５は、空気調和装置１００の全冷房運転モード時における冷媒の流れを示す冷媒回路図である。この図５では、利用側熱交換器２６ａ及び利用側熱交換器２６ｂでのみ冷熱負荷が発生している場合を例に全冷房運転モードについて説明する。なお、図５では、太線で表された配管が冷媒（熱源側冷媒及び熱媒体）の流れる配管を示している。また、図５では、熱源側冷媒の流れ方向を実線矢印で、熱媒体の流れ方向を破線矢印で示している。
【００５７】
図５に示す全冷房運転モードの場合、室外機１では、第１冷媒流路切替装置１１を、圧縮機１０から吐出された熱源側冷媒を熱源側熱交換器１２へ流入させるように切り替える。熱媒体変換機３では、ポンプ２１ａ及びポンプ２１ｂを駆動させ、熱媒体流量調整装置２５ａ及び熱媒体流量調整装置２５ｂを開放し、熱媒体流量調整装置２５ｃ及び熱媒体流量調整装置２５ｄを全閉とし、熱媒体間熱交換器１５ａ及び熱媒体間熱交換器１５ｂのそれぞれと利用側熱交換器２６ａ及び利用側熱交換器２６ｂとの間を熱媒体が循環するようにしている。
【００５８】
まず始めに、冷媒循環回路Ａにおける熱源側冷媒の流れについて説明する。
低温・低圧の冷媒が圧縮機１０によって圧縮され、高温・高圧のガス冷媒となって吐出される。圧縮機１０から吐出された高温・高圧のガス冷媒は、第１冷媒流路切替装置１１を介して熱源側熱交換器１２に流入する。そして、熱源側熱交換器１２で室外空気に放熱しながら凝縮液化し、高圧液冷媒となる。熱源側熱交換器１２から流出した高圧液冷媒は、逆止弁１３ａを通って室外機１から流出し、冷媒配管４を通って熱媒体変換機３に流入する。熱媒体変換機３に流入した高圧液冷媒は、開閉装置１７ａを経由した後に分岐されて絞り装置１６ａ及び絞り装置１６ｂで膨張させられて、低温・低圧の二相冷媒となる。
【００５９】
この二相冷媒は、蒸発器として作用する熱媒体間熱交換器１５ａ及び熱媒体間熱交換器１５ｂのそれぞれに流入し、熱媒体循環回路Ｂを循環する熱媒体から吸熱することで、熱媒体を冷却しながら、低温・低圧のガス冷媒となる。熱媒体間熱交換器１５ａ及び熱媒体間熱交換器１５ｂから流出したガス冷媒は、第２冷媒流路切替装置１８ａ（１）及び第２冷媒流路切替装置１８ｂ（１）を介して熱媒体変換機３から流出し、冷媒配管４を通って再び室外機１へ流入する。室外機１に流入した冷媒は、逆止弁１３ｄを通って、第１冷媒流路切替装置１１及びアキュムレーター１９を介して、圧縮機１０へ再度吸入される。
【００６０】
このとき、絞り装置１６ａは、第３温度センサー３５ａで検出された温度と第３温度センサー３５ｂで検出された温度との差として得られるスーパーヒート（過熱度）が一定になるように開度が制御される。同様に、絞り装置１６ｂは、第３温度センサー３５ｃで検出された温度と第３温度センサー３５ｄで検出された温度との差として得られるスーパーヒートが一定になるように開度が制御される。また、開閉装置１７ａは開、開閉装置１７ｂは閉となっている。さらに、第２冷媒流路切替装置１８ａ（１）は開、第２冷媒流路切替装置１８ａ（２）は閉、第２冷媒流路切替装置１８ｂ（１）は開、第２冷媒流路切替装置１８ｂ（２）は閉となっている。
【００６１】
次に、熱媒体循環回路Ｂにおける熱媒体の流れについて説明する。
全冷房運転モードでは、熱媒体間熱交換器１５ａ及び熱媒体間熱交換器１５ｂの双方で熱源側冷媒の冷熱が熱媒体に伝えられ、冷やされた熱媒体がポンプ２１ａ及びポンプ２１ｂによって配管５内を流動させられることになる。ポンプ２１ａ及びポンプ２１ｂで加圧されて流出した熱媒体は、第２熱媒体流路切替装置２３ａ及び第２熱媒体流路切替装置２３ｂを介して、利用側熱交換器２６ａ及び利用側熱交換器２６ｂに流入する。そして、熱媒体が利用側熱交換器２６ａ及び利用側熱交換器２６ｂで室内空気から吸熱することで、室内空間７の冷房を行なう。
【００６２】
それから、熱媒体は、利用側熱交換器２６ａ及び利用側熱交換器２６ｂから流出して熱媒体流量調整装置２５ａ及び熱媒体流量調整装置２５ｂに流入する。このとき、熱媒体流量調整装置２５ａ及び熱媒体流量調整装置２５ｂの作用によって熱媒体の流量が室内にて必要とされる空調負荷を賄うのに必要な流量に制御されて利用側熱交換器２６ａ及び利用側熱交換器２６ｂに流入するようになっている。熱媒体流量調整装置２５ａ及び熱媒体流量調整装置２５ｂから流出した熱媒体は、第１熱媒体流路切替装置２２ａ及び第１熱媒体流路切替装置２２ｂを通って、熱媒体間熱交換器１５ａ及び熱媒体間熱交換器１５ｂへ流入し、再びポンプ２１ａ及びポンプ２１ｂへ吸い込まれる。
【００６３】
なお、利用側熱交換器２６の配管５内では、第２熱媒体流路切替装置２３から熱媒体流量調整装置２５を経由して第１熱媒体流路切替装置２２へ至る向きに熱媒体が流れている。また、室内空間７にて必要とされる空調負荷は、第１温度センサー３１ａで検出された温度、あるいは、第１温度センサー３１ｂで検出された温度と第２温度センサー３４で検出された温度との差を目標値保つように制御することにより、賄うことができる。熱媒体間熱交換器１５の出口温度は、第１温度センサー３１ａまたは第１温度センサー３１ｂのどちらの温度を使用してもよいし、これらの平均温度を使用してもよい。このとき、第１熱媒体流路切替装置２２及び第２熱媒体流路切替装置２３は、熱媒体間熱交換器１５ａ及び熱媒体間熱交換器１５ｂの双方へ流れる流路が確保されるように、中間的な開度にしている。
【００６４】
全冷房運転モードを実行する際、熱負荷のない利用側熱交換器２６（サーモオフを含む）へは熱媒体を流す必要がないため、熱媒体流量調整装置２５により流路を閉じて、利用側熱交換器２６へ熱媒体が流れないようにする。図５においては、利用側熱交換器２６ａ及び利用側熱交換器２６ｂにおいては熱負荷があるため熱媒体を流しているが、利用側熱交換器２６ｃ及び利用側熱交換器２６ｄにおいては熱負荷がなく、対応する熱媒体流量調整装置２５ｃ及び熱媒体流量調整装置２５ｄを全閉としている。そして、利用側熱交換器２６ｃや利用側熱交換器２６ｄから熱負荷の発生があった場合には、熱媒体流量調整装置２５ｃや熱媒体流量調整装置２５ｄを開放し、熱媒体を循環させればよい。
【００６５】
［全暖房運転モード］
図６は、空気調和装置１００の全暖房運転モード時における冷媒の流れを示す冷媒回路図である。この図６では、利用側熱交換器２６ａ及び利用側熱交換器２６ｂでのみ温熱負荷が発生している場合を例に全暖房運転モードについて説明する。なお、図６では、太線で表された配管が冷媒（熱源側冷媒及び熱媒体）の流れる配管を示している。また、図６では、熱源側冷媒の流れ方向を実線矢印で、熱媒体の流れ方向を破線矢印で示している。
【００６６】
図６に示す全暖房運転モードの場合、室外機１では、第１冷媒流路切替装置１１を、圧縮機１０から吐出された熱源側冷媒を熱源側熱交換器１２を経由させずに熱媒体変換機３へ流入させるように切り替える。熱媒体変換機３では、ポンプ２１ａ及びポンプ２１ｂを駆動させ、熱媒体流量調整装置２５ａ及び熱媒体流量調整装置２５ｂを開放し、熱媒体流量調整装置２５ｃ及び熱媒体流量調整装置２５ｄを全閉とし、熱媒体間熱交換器１５ａ及び熱媒体間熱交換器１５ｂのそれぞれと利用側熱交換器２６ａ及び利用側熱交換器２６ｂとの間を熱媒体が循環するようにしている。
【００６７】
まず始めに、冷媒循環回路Ａにおける熱源側冷媒の流れについて説明する。
低温・低圧の冷媒が圧縮機１０によって圧縮され、高温・高圧のガス冷媒となって吐出される。圧縮機１０から吐出された高温・高圧のガス冷媒は、第１冷媒流路切替装置１１を通り、第１接続配管４ａを導通し、逆止弁１３ｂを通過し、室外機１から流出する。室外機１から流出した高温・高圧のガス冷媒は、冷媒配管４を通って熱媒体変換機３に流入する。熱媒体変換機３に流入した高温・高圧のガス冷媒は、分岐されて第２冷媒流路切替装置１８ａ（２）及び第２冷媒流路切替装置１８ｂ（２）を通って、熱媒体間熱交換器１５ａ及び熱媒体間熱交換器１５ｂのそれぞれに流入する。
【００６８】
熱媒体間熱交換器１５ａ及び熱媒体間熱交換器１５ｂに流入した高温・高圧のガス冷媒は、熱媒体循環回路Ｂを循環する熱媒体に放熱しながら凝縮液化し、高圧の液冷媒となる。熱媒体間熱交換器１５ａ及び熱媒体間熱交換器１５ｂから流出した液冷媒は、絞り装置１６ａ及び絞り装置１６ｂで膨張させられて、低温・低圧の二相冷媒となる。この二相冷媒は、開閉装置１７ｂを通って、熱媒体変換機３から流出し、冷媒配管４を通って再び室外機１へ流入する。室外機１に流入した冷媒は、第２接続配管４ｂを導通し、逆止弁１３ｃを通過して、蒸発器として作用する熱源側熱交換器１２に流入する。
【００６９】
そして、熱源側熱交換器１２に流入した冷媒は、熱源側熱交換器１２で室外空気から吸熱して、低温・低圧のガス冷媒となる。熱源側熱交換器１２から流出した低温・低圧のガス冷媒は、第１冷媒流路切替装置１１及びアキュムレーター１９を介して圧縮機１０へ再度吸入される。
【００７０】
このとき、絞り装置１６ａは、圧力センサー３６で検出された圧力を飽和温度に換算した値と第３温度センサー３５ｂで検出された温度との差として得られるサブクール（過冷却度）が一定になるように開度が制御される。同様に、絞り装置１６ｂは、圧力センサー３６で検出された圧力を飽和温度に換算した値と第３温度センサー３５ｄで検出された温度との差として得られるサブクールが一定になるように開度が制御される。また、開閉装置１７ａは閉、開閉装置１７ｂは開となっている。さらに、第２冷媒流路切替装置１８ａ（１）は閉、第２冷媒流路切替装置１８ａ（２）は開、第２冷媒流路切替装置１８ｂ（１）は閉、第２冷媒流路切替装置１８ｂ（２）は開となっている。なお、熱媒体間熱交換器１５の中間位置の温度が測定できる場合は、その中間位置での温度を圧力センサー３６の代わりに用いてもよく、安価にシステムを構成できる。
【００７１】
次に、熱媒体循環回路Ｂにおける熱媒体の流れについて説明する。
全暖房運転モードでは、熱媒体間熱交換器１５ａ及び熱媒体間熱交換器１５ｂの双方で熱源側冷媒の温熱が熱媒体に伝えられ、暖められた熱媒体がポンプ２１ａ及びポンプ２１ｂによって配管５内を流動させられることになる。ポンプ２１ａ及びポンプ２１ｂで加圧されて流出した熱媒体は、第２熱媒体流路切替装置２３ａ及び第２熱媒体流路切替装置２３ｂを介して、利用側熱交換器２６ａ及び利用側熱交換器２６ｂに流入する。そして、熱媒体が利用側熱交換器２６ａ及び利用側熱交換器２６ｂで室内空気に放熱することで、室内空間７の暖房を行なう。
【００７２】
それから、熱媒体は、利用側熱交換器２６ａ及び利用側熱交換器２６ｂから流出して熱媒体流量調整装置２５ａ及び熱媒体流量調整装置２５ｂに流入する。このとき、熱媒体流量調整装置２５ａ及び熱媒体流量調整装置２５ｂの作用によって熱媒体の流量が室内にて必要とされる空調負荷を賄うのに必要な流量に制御されて利用側熱交換器２６ａ及び利用側熱交換器２６ｂに流入するようになっている。熱媒体流量調整装置２５ａ及び熱媒体流量調整装置２５ｂから流出した熱媒体は、第１熱媒体流路切替装置２２ａ及び第１熱媒体流路切替装置２２ｂを通って、熱媒体間熱交換器１５ａ及び熱媒体間熱交換器１５ｂへ流入し、再びポンプ２１ａ及びポンプ２１ｂへ吸い込まれる。
【００７３】
なお、利用側熱交換器２６の配管５内では、第２熱媒体流路切替装置２３から熱媒体流量調整装置２５を経由して第１熱媒体流路切替装置２２へ至る向きに熱媒体が流れている。また、室内空間７にて必要とされる空調負荷は、第１温度センサー３１ａで検出された温度、あるいは、第１温度センサー３１ｂで検出された温度と第２温度センサー３４で検出された温度との差を目標値として保つように制御することにより、賄うことができる。熱媒体間熱交換器１５の出口温度は、第１温度センサー３１ａまたは第１温度センサー３１ｂのどちらの温度を使用してもよいし、これらの平均温度を使用してもよい。
【００７４】
このとき、第１熱媒体流路切替装置２２及び第２熱媒体流路切替装置２３は、熱媒体間熱交換器１５ａ及び熱媒体間熱交換器１５ｂの双方へ流れる流路が確保されるように、中間的な開度にしている。また、本来、利用側熱交換器２６ａは、その入口と出口の温度差で制御すべきであるが、利用側熱交換器２６の入口側の熱媒体温度は、第１温度センサー３１ｂで検出された温度とほとんど同じ温度であり、第１温度センサー３１ｂを使用することにより温度センサーの数を減らすことができ、安価にシステムを構成できる。
【００７５】
全暖房運転モードを実行する際、熱負荷のない利用側熱交換器２６（サーモオフを含む）へは熱媒体を流す必要がないため、熱媒体流量調整装置２５により流路を閉じて、利用側熱交換器２６へ熱媒体が流れないようにする。図６においては、利用側熱交換器２６ａ及び利用側熱交換器２６ｂにおいては熱負荷があるため熱媒体を流しているが、利用側熱交換器２６ｃ及び利用側熱交換器２６ｄにおいては熱負荷がなく、対応する熱媒体流量調整装置２５ｃ及び熱媒体流量調整装置２５ｄを全閉としている。そして、利用側熱交換器２６ｃや利用側熱交換器２６ｄから熱負荷の発生があった場合には、熱媒体流量調整装置２５ｃや熱媒体流量調整装置２５ｄを開放し、熱媒体を循環させればよい。
【００７６】
［冷房主体運転モード］
図７は、空気調和装置１００の冷房主体運転モード時における冷媒の流れを示す冷媒回路図である。この図７では、利用側熱交換器２６ａで冷熱負荷が発生し、利用側熱交換器２６ｂで温熱負荷が発生している場合を例に冷房主体運転モードについて説明する。なお、図７では、太線で表された配管が冷媒（熱源側冷媒及び熱媒体）の循環する配管を示している。また、図７では、熱源側冷媒の流れ方向を実線矢印で、熱媒体の流れ方向を破線矢印で示している。
【００７７】
図７に示す冷房主体運転モードの場合、室外機１では、第１冷媒流路切替装置１１を、圧縮機１０から吐出された熱源側冷媒を熱源側熱交換器１２へ流入させるように切り替える。熱媒体変換機３では、ポンプ２１ａ及びポンプ２１ｂを駆動させ、熱媒体流量調整装置２５ａ及び熱媒体流量調整装置２５ｂを開放し、熱媒体流量調整装置２５ｃ及び熱媒体流量調整装置２５ｄを全閉とし、熱媒体間熱交換器１５ａと利用側熱交換器２６ａとの間を、熱媒体間熱交換器１５ｂと利用側熱交換器２６ｂとの間を、それぞれ熱媒体が循環するようにしている。
【００７８】
まず始めに、冷媒循環回路Ａにおける熱源側冷媒の流れについて説明する。
低温・低圧の冷媒が圧縮機１０によって圧縮され、高温・高圧のガス冷媒となって吐出される。圧縮機１０から吐出された高温・高圧のガス冷媒は、第１冷媒流路切替装置１１を介して熱源側熱交換器１２に流入する。そして、熱源側熱交換器１２で室外空気に放熱しながら凝縮し、二相冷媒となる。熱源側熱交換器１２から流出した二相冷媒は、逆止弁１３ａを通って室外機１から流出し、冷媒配管４を通って熱媒体変換機３に流入する。熱媒体変換機３に流入した二相冷媒は、第２冷媒流路切替装置１８ｂ（２）を通って凝縮器として作用する熱媒体間熱交換器１５ｂに流入する。
【００７９】
熱媒体間熱交換器１５ｂに流入した二相冷媒は、熱媒体循環回路Ｂを循環する熱媒体に放熱しながら凝縮液化し、液冷媒となる。熱媒体間熱交換器１５ｂから流出した液冷媒は、絞り装置１６ｂで膨張させられて低圧二相冷媒となる。この低圧二相冷媒は、絞り装置１６ａを介して蒸発器として作用する熱媒体間熱交換器１５ａに流入する。熱媒体間熱交換器１５ａに流入した低圧二相冷媒は、熱媒体循環回路Ｂを循環する熱媒体から吸熱することで、熱媒体を冷却しながら、低圧のガス冷媒となる。このガス冷媒は、熱媒体間熱交換器１５ａから流出し、第２冷媒流路切替装置１８ａ（１）を介して熱媒体変換機３から流出し、冷媒配管４を通って再び室外機１へ流入する。室外機１に流入した冷媒は、逆止弁１３ｄを通って、第１冷媒流路切替装置１１及びアキュムレーター１９を介して、圧縮機１０へ再度吸入される。
【００８０】
このとき、絞り装置１６ｂは、第３温度センサー３５ａで検出された温度と第３温度センサー３５ｂで検出された温度との差として得られるスーパーヒートが一定になるように開度が制御される。また、絞り装置１６ａは全開、開閉装置１７ａは閉、開閉装置１７ｂは閉となっている。さらに、第２冷媒流路切替装置１８ａ（１）は開、第２冷媒流路切替装置１８ａ（２）は閉、第２冷媒流路切替装置１８ｂ（１）は閉、第２冷媒流路切替装置１８ｂ（２）は開となっている。なお、絞り装置１６ｂは、圧力センサー３６で検出された圧力を飽和温度に換算した値と第３温度センサー３５ｄで検出された温度との差として得られるサブクールが一定になるように開度を制御してもよい。また、絞り装置１６ｂを全開とし、絞り装置１６ａでスーパーヒートまたはサブクールを制御するようにしてもよい。
【００８１】
次に、熱媒体循環回路Ｂにおける熱媒体の流れについて説明する。
冷房主体運転モードでは、熱媒体間熱交換器１５ｂで熱源側冷媒の温熱が熱媒体に伝えられ、暖められた熱媒体がポンプ２１ｂによって配管５内を流動させられることになる。また、冷房主体運転モードでは、熱媒体間熱交換器１５ａで熱源側冷媒の冷熱が熱媒体に伝えられ、冷やされた熱媒体がポンプ２１ａによって配管５内を流動させられることになる。ポンプ２１ａ及びポンプ２１ｂで加圧されて流出した熱媒体は、第２熱媒体流路切替装置２３ａ及び第２熱媒体流路切替装置２３ｂを介して、利用側熱交換器２６ａ及び利用側熱交換器２６ｂに流入する。
【００８２】
利用側熱交換器２６ｂでは熱媒体が室内空気に放熱することで、室内空間７の暖房を行なう。また、利用側熱交換器２６ａでは熱媒体が室内空気から吸熱することで、室内空間７の冷房を行なう。このとき、熱媒体流量調整装置２５ａ及び熱媒体流量調整装置２５ｂの作用によって熱媒体の流量が室内にて必要とされる空調負荷を賄うのに必要な流量に制御されて利用側熱交換器２６ａ及び利用側熱交換器２６ｂに流入するようになっている。利用側熱交換器２６ｂを通過し若干温度が低下した熱媒体は、熱媒体流量調整装置２５ｂ及び第１熱媒体流路切替装置２２ｂを通って、熱媒体間熱交換器１５ｂへ流入し、再びポンプ２１ｂへ吸い込まれる。利用側熱交換器２６ａを通過し若干温度が上昇した熱媒体は、熱媒体流量調整装置２５ａ及び第１熱媒体流路切替装置２２ａを通って、熱媒体間熱交換器１５ａへ流入し、再びポンプ２１ａへ吸い込まれる。
【００８３】
この間、暖かい熱媒体と冷たい熱媒体とは、第１熱媒体流路切替装置２２及び第２熱媒体流路切替装置２３の作用により、混合することなく、それぞれ温熱負荷、冷熱負荷がある利用側熱交換器２６へ導入される。なお、利用側熱交換器２６の配管５内では、暖房側、冷房側ともに、第２熱媒体流路切替装置２３から熱媒体流量調整装置２５を経由して第１熱媒体流路切替装置２２へ至る向きに熱媒体が流れている。また、室内空間７にて必要とされる空調負荷は、暖房側においては第１温度センサー３１ｂで検出された温度と第２温度センサー３４で検出された温度との差を、冷房側においては第２温度センサー３４で検出された温度と第１温度センサー３１ａで検出された温度との差を目標値として保つように制御することにより、賄うことができる。
【００８４】
冷房主体運転モードを実行する際、熱負荷のない利用側熱交換器２６（サーモオフを含む）へは熱媒体を流す必要がないため、熱媒体流量調整装置２５により流路を閉じて、利用側熱交換器２６へ熱媒体が流れないようにする。図７においては、利用側熱交換器２６ａ及び利用側熱交換器２６ｂにおいては熱負荷があるため熱媒体を流しているが、利用側熱交換器２６ｃ及び利用側熱交換器２６ｄにおいては熱負荷がなく、対応する熱媒体流量調整装置２５ｃ及び熱媒体流量調整装置２５ｄを全閉としている。そして、利用側熱交換器２６ｃや利用側熱交換器２６ｄから熱負荷の発生があった場合には、熱媒体流量調整装置２５ｃや熱媒体流量調整装置２５ｄを開放し、熱媒体を循環させればよい。
【００８５】
［暖房主体運転モード］
図８は、空気調和装置１００の暖房主体運転モード時における冷媒の流れを示す冷媒回路図である。この図８では、利用側熱交換器２６ａで温熱負荷が発生し、利用側熱交換器２６ｂで冷熱負荷が発生している場合を例に暖房主体運転モードについて説明する。なお、図８では、太線で表された配管が冷媒（熱源側冷媒及び熱媒体）の循環する配管を示している。また、図８では、熱源側冷媒の流れ方向を実線矢印で、熱媒体の流れ方向を破線矢印で示している。
【００８６】
図８に示す暖房主体運転モードの場合、室外機１では、第１冷媒流路切替装置１１を、圧縮機１０から吐出された熱源側冷媒を熱源側熱交換器１２を経由させずに熱媒体変換機３へ流入させるように切り替える。熱媒体変換機３では、ポンプ２１ａ及びポンプ２１ｂを駆動させ、熱媒体流量調整装置２５ａ及び熱媒体流量調整装置２５ｂを開放し、熱媒体流量調整装置２５ｃ及び熱媒体流量調整装置２５ｄを閉止し、熱媒体間熱交換器１５ａ及び熱媒体間熱交換器１５ｂのそれぞれと利用側熱交換器２６ａ及び利用側熱交換器２６ｂとの間を熱媒体が循環するようにしている。
【００８７】
まず始めに、冷媒循環回路Ａにおける熱源側冷媒の流れについて説明する。
低温・低圧の冷媒が圧縮機１０によって圧縮され、高温・高圧のガス冷媒となって吐出される。圧縮機１０から吐出された高温・高圧のガス冷媒は、第１冷媒流路切替装置１１を通り、第１接続配管４ａを導通し、逆止弁１３ｂを通過し、室外機１から流出する。室外機１から流出した高温・高圧のガス冷媒は、冷媒配管４を通って熱媒体変換機３に流入する。熱媒体変換機３に流入した高温・高圧のガス冷媒は、第２冷媒流路切替装置１８ｂ（２）を通って凝縮器として作用する熱媒体間熱交換器１５ｂに流入する。
【００８８】
熱媒体間熱交換器１５ｂに流入したガス冷媒は、熱媒体循環回路Ｂを循環する熱媒体に放熱しながら凝縮液化し、液冷媒となる。熱媒体間熱交換器１５ｂから流出した液冷媒は、絞り装置１６ｂで膨張させられて低圧二相冷媒となる。この低圧二相冷媒は、絞り装置１６ａを介して蒸発器として作用する熱媒体間熱交換器１５ａに流入する。熱媒体間熱交換器１５ａに流入した低圧二相冷媒は、熱媒体循環回路Ｂを循環する熱媒体から吸熱することで蒸発し、熱媒体を冷却する。この低圧二相冷媒は、熱媒体間熱交換器１５ａから流出し、第２冷媒流路切替装置１８ａ（１）を介して熱媒体変換機３から流出し、冷媒配管４を通って再び室外機１へ流入する。
【００８９】
室外機１に流入した冷媒は、逆止弁１３ｃを通って、蒸発器として作用する熱源側熱交換器１２に流入する。そして、熱源側熱交換器１２に流入した冷媒は、熱源側熱交換器１２で室外空気から吸熱して、低温・低圧のガス冷媒となる。熱源側熱交換器１２から流出した低温・低圧のガス冷媒は、第１冷媒流路切替装置１１及びアキュムレーター１９を介して圧縮機１０へ再度吸入される。
【００９０】
このとき、絞り装置１６ｂは、圧力センサー３６で検出された圧力を飽和温度に換算した値と第３温度センサー３５ｂで検出された温度との差として得られるサブクールが一定になるように開度が制御される。また、絞り装置１６ａは全開、開閉装置１７ａは閉、開閉装置１７ｂは閉となっている。さらに、第２冷媒流路切替装置１８ａ（１）は開、第２冷媒流路切替装置１８ａ（２）は閉、第２冷媒流路切替装置１８ｂ（１）は閉、第２冷媒流路切替装置１８ｂ（２）は開となっている。なお、絞り装置１６ｂを全開とし、絞り装置１６ａでサブクールを制御するようにしてもよい。
【００９１】
次に、熱媒体循環回路Ｂにおける熱媒体の流れについて説明する。
暖房主体運転モードでは、熱媒体間熱交換器１５ｂで熱源側冷媒の温熱が熱媒体に伝えられ、暖められた熱媒体がポンプ２１ｂによって配管５内を流動させられることになる。また、暖房主体運転モードでは、熱媒体間熱交換器１５ａで熱源側冷媒の冷熱が熱媒体に伝えられ、冷やされた熱媒体がポンプ２１ａによって配管５内を流動させられることになる。ポンプ２１ａ及びポンプ２１ｂで加圧されて流出した熱媒体は、第２熱媒体流路切替装置２３ａ及び第２熱媒体流路切替装置２３ｂを介して、利用側熱交換器２６ａ及び利用側熱交換器２６ｂに流入する。
【００９２】
利用側熱交換器２６ｂでは熱媒体が室内空気から吸熱することで、室内空間７の冷房を行なう。また、利用側熱交換器２６ａでは熱媒体が室内空気に放熱することで、室内空間７の暖房を行なう。このとき、熱媒体流量調整装置２５ａ及び熱媒体流量調整装置２５ｂの作用によって熱媒体の流量が室内にて必要とされる空調負荷を賄うのに必要な流量に制御されて利用側熱交換器２６ａ及び利用側熱交換器２６ｂに流入するようになっている。利用側熱交換器２６ｂを通過し若干温度が上昇した熱媒体は、熱媒体流量調整装置２５ｂ及び第１熱媒体流路切替装置２２ｂを通って、熱媒体間熱交換器１５ａに流入し、再びポンプ２１ａへ吸い込まれる。利用側熱交換器２６ａを通過し若干温度が低下した熱媒体は、熱媒体流量調整装置２５ａ及び第１熱媒体流路切替装置２２ａを通って、熱媒体間熱交換器１５ｂへ流入し、再びポンプ２１ｂへ吸い込まれる。
【００９３】
この間、暖かい熱媒体と冷たい熱媒体とは、第１熱媒体流路切替装置２２及び第２熱媒体流路切替装置２３の作用により、混合することなく、それぞれ温熱負荷、冷熱負荷がある利用側熱交換器２６へ導入される。なお、利用側熱交換器２６の配管５内では、暖房側、冷房側ともに、第２熱媒体流路切替装置２３から熱媒体流量調整装置２５を経由して第１熱媒体流路切替装置２２へ至る向きに熱媒体が流れている。また、室内空間７にて必要とされる空調負荷は、暖房側においては第１温度センサー３１ｂで検出された温度と第２温度センサー３４で検出された温度との差を、冷房側においては第２温度センサー３４で検出された温度と第１温度センサー３１ａで検出された温度との差を目標値として保つように制御することにより、賄うことができる。
【００９４】
暖房主体運転モードを実行する際、熱負荷のない利用側熱交換器２６（サーモオフを含む）へは熱媒体を流す必要がないため、熱媒体流量調整装置２５により流路を閉じて、利用側熱交換器２６へ熱媒体が流れないようにする。図７においては、利用側熱交換器２６ａ及び利用側熱交換器２６ｂにおいては熱負荷があるため熱媒体を流しているが、利用側熱交換器２６ｃ及び利用側熱交換器２６ｄにおいては熱負荷がなく、対応する熱媒体流量調整装置２５ｃ及び熱媒体流量調整装置２５ｄを全閉としている。そして、利用側熱交換器２６ｃや利用側熱交換器２６ｄから熱負荷の発生があった場合には、熱媒体流量調整装置２５ｃや熱媒体流量調整装置２５ｄを開放し、熱媒体を循環させればよい。
【００９５】
［冷媒配管４］
以上説明したように、本実施の形態に係る空気調和装置１００は、幾つかの運転モードを具備している。これらの運転モードにおいては、室外機１と熱媒体変換機３とを接続する冷媒配管４には熱源側冷媒が流れている。
【００９６】
［配管５］
本実施の形態に係る空気調和装置１００が実行する幾つかの運転モードにおいては、熱媒体変換機３と室内機２を接続する配管５には水や不凍液等の熱媒体が流れている。
【００９７】
［熱源側熱交換器１２の容量制御］
本発明の実施の形態に係る空気調和装置１００は、以上のように動作するが、各運転モードにおいて、熱源側熱交換器１２の周囲環境である外気の温度や湿度に応じて冷凍サイクルを適切に制御し、空調対象である室内空間７での熱負荷等に応じた加熱能力または冷却能力を発揮させることが要求される。熱源側熱交換器１２の周囲環境に応じて冷凍サイクルを制御するためには、熱源側熱交換器１２での熱交換量（熱量）を制御する必要がある。熱交換器における熱量Ｑ［ｋＷ］は、概略下記式（１）で表される。
【００９８】
式（１）
Ｑ［ｋＷ］＝Ａ［ｍ2 ］×Ｋ［ｋＷ／ｍ2 Ｋ］×（Ｔｒ−Ｔａ）［℃］
式（１）において、Ａは熱交換器の伝熱面積［ｍ2 ］を、Ｋは熱交換器の内部の冷媒（熱媒体）と周囲の流体との間の熱通過率［ｋＷ／ｍ2 Ｋ］を、Ｔａは熱交換器の周囲の流体の温度［℃］を、Ｔｒは熱交換器の内部の冷媒（熱媒体）の温度［℃］を、それぞれ表している。なお、式（１）は、熱交換器が凝縮器として動作している場合の式で、蒸発器として動作する場合は、空気温度と冷媒温度が逆になる。この式を簡略化すると、下記式（２）で表される。
【００９９】
式（２）
Ｑ［ｋＷ］＝ＡＫ［ｋＷ／Ｋ］×（Ｔｒ−Ｔａ）［℃］
式（２）において、ＡＫは熱交換器の伝熱面積と熱通過率の積であり単位温度あたりの熱通過率の能力を表す値［ｋＷ／Ｋ］を表している。この式（２）より、熱交換器の内部の冷媒の温度Ｔｒと熱交換器の周囲の流体の温度Ｔａとの温度差が同じであれば、ＡＫを制御すれば熱交換器での熱量Ｑを制御することができることがわかる。
【０１００】
ここで、熱源側熱交換器１２を考える。熱源側熱交換器１２で発揮すべき能力は、外気の温度や湿度、負荷側の必要熱量、圧縮機１０の周波数等によって決まる。たとえば、冷房運転において、圧縮機１０の周波数を変化させ、蒸発温度（低圧）を一定値にする制御がなされ、熱源側熱交換器１２が凝縮器（ガスク−ラ）として動作しており、熱源側熱交換器１２の熱量を調整して、凝縮温度（高圧）を一定値に制御することを考える。凝縮器の周囲環境や蒸発器での冷却負荷が変化した場合、冷凍サイクル内は同じ冷媒が循環しているため、熱源側熱交換器１２での熱量も制御しないと、冷凍サイクル内の凝縮温度（高圧）を目標の値にすることはできない。
【０１０１】
そこで、周囲環境の変化や運転状態の変化に応じた熱源側熱交換器１２の熱量の制御が必須となる。上述したように、式（２）により、熱源側熱交換器１２の熱量を制御するためには、熱源側熱交換器１２のＡＫを制御すればよい。
【０１０２】
図３から図８に示すように、室外機１には、熱源側熱交換器１２に空気を送出するための熱源側送風装置４４が設置されている。また、熱源側熱交換器１２の入口側流路と出口側流路の間に熱源側熱交換器１２を迂回するバイパス配管４ｃが設けられている。さらに、熱源側熱交換器１２の入口側流路とバイパス配管４ｃの入口流路の合流点に、熱源側熱交換器１２に流れる冷媒の流量とバイパス配管４ｃに流れる冷媒の流量の比率（割合）を調整できる熱源側冷媒流量調整装置４５が設置されている。すなわち、熱源側熱交換器１２での熱交換量は、熱源側送風装置４４及び熱源側冷媒流量調整装置４５によって制御される。
【０１０３】
熱源側送風装置４４は、回転することにより風を発生させる翼と、翼を回転させるためのモーターと、モーターの回転数を制御するためのインバータと、から構成されている。このような熱源側送風装置４４の回転数を制御することにより、熱源側熱交換器１２を通過する空気の風量を変化させ、熱源側熱交換器１２のＡＫを変化させることができる。
【０１０４】
また、熱源側冷媒流量調整装置４５は、電子式のステッピングモーター等により２つの流路の開口面積を変化させられるようになっているもので構成されている。このような熱源側冷媒流量調整装置４５を制御することにより、熱源側熱交換器１２に流れる冷媒の流量と、バイパス配管４ｃに流れる冷媒の流量との比率を制御することができる。熱源側熱交換器１２に流れる冷媒流量を制御することにより、冷媒の保有するエネルギー量を制御することができ、熱源側熱交換器１２を介して周囲空気に与える熱量を制御することができる。
【０１０５】
熱交換器での熱交換量Ｑｒは下記式（３）で表される。
式（３）
Ｑｒ＝Ｇｒ×(ｈｒｉ−ｈｒｏ)  
式（３）において、Ｇｒは冷媒の質量流量［ｋｇ／ｈ］を、ｈｒｉは熱交換器の入口冷媒エンタルピー［ｋＪ／ｋｇ］を、ｈｒｏは熱交換器の出口冷媒エンタルピー［ｋＪ／ｋｇ］を、それぞれ表している。
【０１０６】
すなわち、冷媒のエンタルピーｈｒｉ及びｈｒｏが同じであるとすると、冷媒の質量流量Ｇｒを変化させると熱交換器の熱量Ｑｒを変化させることができる。熱交換器での熱量が変化するということは、上記式（２）より、熱交換器のＡＫが変化するということになる。よって、熱源側冷媒流量調整装置４５を制御して、熱源側熱交換器１２への流入冷媒流量を制御すると、熱源側熱交換器１２のＡＫを制御できることになる。
【０１０７】
熱源側送風装置４４は、周囲空気の空気抵抗に逆らって回転するため、安定して回転させるためには、送風装置の構造によって決まる最低回転数以上で回転させる必要があり、最低回転数以下になると停止してしまう。そこで、空気調和装置１００においては、熱源側送風装置４４による空気の風量の制御と、熱源側冷媒流量調整装置４５による冷媒の流量の制御とを、連携して行なうことにより適切なＡＫの制御を行なうことができるようにしている。
【０１０８】
図９は、熱源側送風装置４４と熱源側冷媒流量調整装置４５との連携制御処理の流れの一例を示すフローチャートである。図９に基づいて、熱源側送風装置４４と熱源側冷媒流量調整装置４５と連携制御方法の一例について説明する。熱源側熱交換器１２におけるＡＫは、熱交換器の種類等によって異なったものとなるため、熱交換器で発揮することができる最大のＡＫに対する比率で表し、ここからはこの比率をＡＫ［％］と呼ぶ。すなわち、ＡＫは０〜１００の値をとる。なお、ＡＫの制御目標をＡＫｎとする。
【０１０９】
空気調和装置１００の運転が開始されると、図示省略の制御装置は、連携制御の処理を開始する（ＳＴ０）。まず、制御装置は、ＡＫ制御のモード（以下、ｍｏｄｅＡと称する）を判定する（ＳＴ１）。ｍｏｄｅＡが１であると判定すると（ＳＴ１；１）、制御装置は、ＡＫｎが熱源側送風装置４４で制御可能な熱源側熱交換器１２の容量の最小値ＡＫｍｉｎよりも大きいか否かを判断する（ＳＴ２）。
【０１１０】
ＡＫｎがＡＫｍｉｎよりも大きいと判断すると（ＳＴ２；Ｙｅｓ）、制御装置は、熱源側冷媒流量調整装置４５を、熱源側熱交換器１２の流路が全開、バイパス配管４ｃの流路が全閉となるような開度に設定する（ＳＴ３）。そして、制御装置は、熱源側送風装置４４を制御し、下記式（４）に基づき熱源側熱交換器１２の容量制御を行ない（ＳＴ４）、処理を完了する（ＳＴ９）。つまり、制御装置は、熱源側熱交換器１２での必要熱交換量が十分に大きいと判断したとき、熱源側送風装置４４の回転数の制御を、熱源側冷媒流量調整装置４５による熱源側冷媒流量制御に優先して実行している。
【０１１１】
式（４）
【数１】
0005511838.tif 000002
式（４）において、ＡＫｍａｘは熱源側熱交換器１２の容量の最大値（＝１００）［％］を、ＡＫｍａｘ及びＡＫｍｉｎは熱源側送風装置４４で制御可能な熱源側熱交換器１２の容量の最大値及び最小値［％］を、ＦＡＮｍａｘは熱源側送風装置４４の最大回転数［％］を、ＦＡＮｍｉｎは熱源側熱交換器１２の最低回転数［％］を、それぞれ表している。
【０１１２】
一方、ｍｏｄｅＡが２であると判定すると（ＳＴ１；２）、制御装置は、ＡＫｎがＡＫｍｉｎよりも小さいか否かを判断する。ＡＫｎがＡＫｍｉｎ以下であると判断すると（ＳＴ６；Ｙｅｓ）、制御装置は、熱源側冷媒流量調整装置４５の開度（開口面積）を、下記式（５）のように制御して熱源側熱交換器１２の容量制御を行なう（ＳＴ７）、処理を完了する（ＳＴ９）。つまり、制御装置は、熱源側熱交換器１２での必要熱交換量がある程度小さくなったと判断したとき、熱源側冷媒流量調整装置４５による熱源側冷媒流量制御を、熱源側送風装置４４の回転数の制御に優先して実行している。
式（５）
熱源側冷媒流量調整装置４５の開度＝最大開度×（１−ＡＫｎ／ＡＫｍｉｎ）
【０１１３】
なお、ＳＴ２において、ＡＫｎがＡＫｍｉｎ以下と判断された場合は、制御装置は、ｍｏｄｅＡを２とし（ＳＴ５）、ＳＴ６の判定に移る。また、ＳＴ６において、ＡＫｎがＡＫｍｉｎよりも大きいと判断された場合は、ｍｏｄｅＡを１とし（ＳＴ８）、ＳＴ２の判定に移る。
【０１１４】
図９において、ｍｏｄｅＡが１であるとは、熱源側熱交換器１２に熱源側冷媒の全量を流入させて熱交換させ、かつ、バイパス配管１４には熱源側冷媒をほとんど流さない熱交換モードであることを意味している。また、ｍｏｄｅＡが２であるとは、熱源側熱交換器１２に熱源側冷媒の全量を流入させずに熱交換させ、かつ、かつ、熱源側熱交換器１２とバイパス配管１４とに流す冷媒の流量比を調整する熱交換モードであることを意味している。  
【０１１５】
ここで、熱源側冷媒流量調整装置４５は、開度ゼロのときに熱源側熱交換器１２の流路が全開かつバイパス配管４ｃの流路が全閉となり、最大開度のときに熱源側熱交換器１２の流路が全閉かつバイパス配管４ｃの流路が全開となるように設置されている。また、ＡＫｍａｘ、ＡＫｍｉｎの値は、たとえばＡＫｍａｘは１００、ＡＫｍｉｎは２５等とする。
【０１１６】
このように制御することにより、空気調和装置１００は、ＡＫが大きいときは熱源側送風装置４４の回転数を変化させて熱源側熱交換器１２での熱交換量を制御し、ＡＫが小さい時は熱源側冷媒流量調整装置４５の開度（開口面積）を変化させて熱源側熱交換器１２での熱交換量を制御して、ＡＫをほぼ０から１００まで変化させることができる。
【０１１７】
なお、熱源側冷媒流量調整装置４５が三方の流路の流量比を制御できる三方弁（三方流量調整装置）である場合を例に説明を行なったが、熱源側熱交換器１２の流路及びバイパス配管４ｃのそれぞれの流路に開口面積を制御できる二方弁（二方流量調整装置）等を設置し、それぞれ別々に制御するようにしてもよい。この場合は、双方の熱源側冷媒流量調整装置４５の開口面積の合計値があまり変化しないように制御すればよい。
【０１１８】
また、ここでは、熱源側熱交換器１２が凝縮器として動作している場合を例に説明を行なったが、熱源側熱交換器１２が蒸発器として動作している場合でも同様のことが言え、同様の効果を奏する。さらに、熱源側冷媒がＣＯ2 等の高圧側で超臨界状態に遷移する冷媒においても、同様のことが成り立つ。
【０１１９】
以上のようにして、空気調和装置１００では各運転モードの時の熱源側熱交換器１２の熱量の制御を行なうことができる。ところで、熱源側熱交換器１２のＡＫを制御する方法としては、熱源側熱交換器１２を数分割（たとえば４分割）し、ＡＫ値に応じて、使用する熱交換器の容量（伝熱面積）を変化させる方法も考えられる。
【０１２０】
熱源側熱交換器１２内の冷媒の質量流量及び熱源側送風装置４４の風速が同じであれば、熱源側熱交換器１２内の冷媒の管内熱伝達率及び管外熱伝達率は変わらないため、冷媒が熱源側熱交換器１２内での単位長さ進む場合の冷媒の保有エネルギー変化量（エンタルピー変化量）は同じになる。したがって、伝熱面積（Ａ）を変化させて、ＡＫを変化させる場合は、熱源側熱交換器１２の出入口エンタルピー変化量はＡＫにほぼ比例して減少する。そこで、圧縮機１０の周波数を低下させて、熱源側冷媒が熱源側熱交換器１２内で単位長さ進む場合の熱源側冷媒の保有エネルギー変化量（エンタルピー変化量）を変化させることにより、熱源側熱交換器１２の出口の冷媒状態量、すなわちサブクールが同じ状態になるように制御しながら、ＡＫ制御を行なうことができる。
【０１２１】
しかしながら、熱源側冷媒流量調整装置４５を使う方法だと、熱源側熱交換器１２の伝熱面積は変化せず、熱源側熱交換器１２の配管内の熱源側冷媒の質量流量を低下させてＡＫ制御を行なうことになる。このとき、熱源側送風装置４４の風速が同じであれば、熱源側熱交換器１２の管外熱伝達率は変わらないため、熱源側熱交換器１２内での冷媒が単位長さ進む場合の冷媒のエンタルピー変化量はそれほど大きくは変わらない。したがって、熱源側熱交換器１２の出口冷媒のサプクールが大きくなり、バイパス配管４ｃを通ってきた熱源側冷媒と合流した熱源側冷媒の状態が、熱源側熱交換器１２を数分割し、伝熱面積を変化させた場合の熱源側熱交換器１２の出口冷媒と同じ状態になる。
【０１２２】
さて、熱源側冷媒は温度が低くなると密度が大きくなり、熱源側熱交換器１２内により多くの熱源側冷媒が溜まることになる。冷媒回路内に多大の余剰冷媒があれば先の方法でＡＫ制御ができるが、実際の余剰冷媒はアキュムレーター１９の容積で決まるため、今まで説明した制御方法では、延長配管の長さが長い場合に、すべての運転モードにおいてＡＫ制御を行うには、冷媒量が不足することが予想される。
【０１２３】
そこで、熱源側熱交換器１２を２つに分割し、片方の熱交換器内の冷媒量を回収することにより、不足する冷媒量を賄い、安定した制御が行なえる方法を考える。すなわち、図１０に示す空気調和装置（以下、空気調和装置１００Ａ（２）と称する）のように、熱源側熱交換器１２を２つに分割し（熱源側熱交換器１２（１）、熱源側熱交換器１２（２））、それらを並列に接続している。そして、熱源側熱交換器１２（２）の冷媒流路の前後に冷媒流路遮断装置４１（１）及び冷媒流路遮断装置４１（２）を設置し、熱源側熱交換器１２（２）と冷媒流路遮断装置４１（２）との間の流路と、アキュムレーター１９の入口配管とを、余剰冷媒回収配管４２及び余剰冷媒回収装置４３によって接続する。そして、図１１に示すようにＡＫ制御を行なう。
【０１２４】
図１１は、本実施の形態に係る空気調和装置１００Ａ（２）のＡＫ制御処理の流れの一例を示すフローチャートである。図１１に基づいて、空気調和装置１００Ａ（２）が実行するＡＫ制御方法の一例について説明する。
【０１２５】
空気調和装置１００Ａ（２）の運転が開始されると、図示省略の制御装置は、ＡＫ制御の処理を開始する（ＵＴ０）。まず、制御装置は、ＡＫ制御のモード（以下、ｍｏｄｅＡと称する）を判定する（ＵＴ１）。ｍｏｄｅＡが１であると判定すると（ＵＴ１；１）、制御装置は、ＡＫｎ最小値ＡＫｍｉｎよりも大きいか否かを判断する（ＵＴ２）。ＡＫｎがＡＫｍｉｎよりも大きいと判断すると（ＵＴ２；Ｙｅｓ）、制御装置は、冷媒流路遮断装置４１（１）及び冷媒流路遮断装置４１（２）を全開、余剰冷媒回収装置４３を全閉とし（ＵＴ３）、熱源側冷媒が熱源側熱交換器１２（１）と熱源側熱交換器１２（２）の両方に流れるようにする。
【０１２６】
そして、制御装置は、ＡＫｍａｘ１をＡＫｍａｘに代入し、ＡＫｍｉｎ１をＡＫｍｉｎに代入する（ＵＴ４）。制御装置は、熱源側冷媒流量調整装置４５を、熱源側熱交換器１２の流路が全開、バイパス配管４ｃの流路が全閉となるような開度に設定する（ＵＴ５）。それから、制御装置は、熱源側送風装置４４を制御し、上記式（４）に基づいて、熱源側熱交換器１２の容量制御を行ない（ＵＴ６）、処理を完了する（ＵＴ１８）。
【０１２７】
一方、ｍｏｄｅＡが２であると判定すると（ＵＴ１；２）、制御装置は、ＡＫｎがＡＫｍｉｎ２よりも大きいか否か判断する（ＵＴ８）。ＡＫｎがＡＫｍｉｎ２よりも大きいと判断すると（ＵＴ８；Ｙｅｓ）、制御装置は、ＡＫｎがＡＫｍａｘ２よりも小さいか否かを判定する（ＵＴ９）。ＡＫｎがＡＫｍａｘ２よりも小さいと判断すると（ＵＴ９；Ｙｅｓ）、制御装置は、冷媒流路遮断装置４１（１）及び冷媒流路遮断装置４１（２）を閉として熱源側熱交換器１２（２）へ流れる流路を遮断し、かつ余剰冷媒回収装置４３を開として、熱源側熱交換器１２（２）内の冷媒を余剰冷媒回収配管４２を介してアキュムレーター１９内に回収するようにし、熱源側熱交換器１２（１）のみで空気と熱交換を行うようにする（ＵＴ１０）。
【０１２８】
そして、制御装置は、ＡＫｍａｘ２をＡＫｍａｘに代入し、ＡＫｍｉｎ２をＡＫｍｉｎに代入し（ＵＴ１１）。制御装置は、熱源側冷媒流量調整装置４５を、熱源側熱交換器１２の流路が全開、バイパス配管４ｃの流路が全閉となるような開度に設定する（ＵＴ５）。それから、制御装置は、熱源側送風装置４４を制御し、上記式（４）に基づいて、熱源側熱交換器１２の容量制御を行ない（ＵＴ６）、処理を完了する（ＵＴ１８）。
【０１２９】
また、ｍｏｄｅＡが３あると判定すると（ＵＴ１；３）、制御装置は、ＡＫｎがＡＫｍａｘ３よりも小さいか否かを判断する（ＵＴ１４）。ＡＫｎがＡＫｍａｘ３よりも小さいと判断すると（ＵＴ１４；Ｙｅｓ）、制御装置は、冷媒流路遮断装置４１（１）及び冷媒流路遮断装置４１（２）を閉として熱源側熱交換器１２（２）へ流れる流路を遮断し、かつ余剰冷媒回収装置４３を開として、熱源側熱交換器１２（２）内の冷媒を余剰冷媒回収配管４２を介してアキュムレーター１９内に回収するようにし、熱源側熱交換器１２（１）のみで空気と熱交換を行うようにする（ＵＴ１５）。
【０１３０】
そして、制御装置は、熱源側冷媒流量調整装置４５の開度（開口面積）を、下記式（６）のように制御し、熱源側熱交換器１２の容量制御を行ない（ＵＴ１６）、処理を完了する（ＵＴ１８）。
式（６）
熱源側冷媒流量調整装置４５の開度＝最大開度×（１−ＡＫｎ／ＡＫｍａｘ３）
【０１３１】
なお、ＵＴ２において、ＡＫｎが熱源側送風装置４４で制御可能な熱源側熱交換器１２の容量の最小値ＡＫｍｉｎ１以下と判断された場合は、ｍｏｄｅＡを２とし（ＵＴ７）、ＵＴ８の判定に移る。また、ＵＴ８において、ＡＫｎがＡＫｍｉｎ２以下と判断された場合は、ｍｏｄｅＡを３とし（ＵＴ１２）、ＵＴ１４の判定に移る。さらに、ＵＴ９において、ＡＫｎがＡＫｍａｘ２よりも大きいと判断された場合は、ｍｏｄｅＡを１とし（ＵＴ１３）、ＵＴ２の判定に移る。またさらに、ＵＴ１４において、ＡＫｎがＡＫｍａｘ３よりも大きいと判断された場合は、ｍｏｄｅＡを２とし（ＵＴ１７）、ＵＴ８の判定に移る。
【０１３２】
図１１において、ｍｏｄｅＡが１であるとは、熱源側熱交換器１２の全部を使用して熱交換させ、かつ、バイパス配管１４には熱源側冷媒をほとんど流さない熱交換モード（第一の熱交換モード）であることを意味している。また、ｍｏｄｅＡが２であるとは、熱源側熱交換器１２の一部を使用して熱交換させ、かつ、バイパス配管１４には熱源側冷媒をほとんど流さない熱交換モード（第二の熱交換モード）であることを意味している。さらに、ｍｏｄｅＡが３であるとは、熱源側熱交換器１２の一部を使用して熱交換させ、かつ、熱源側熱交換器１２とバイパス配管１４とに流す冷媒の流量比を調整する熱交換モード（第三の熱交換モード）であることを意味している。
【０１３３】
このように制御することにより、空気調和装置１００Ａ（２）は、アキュムレーター１９内に回収された熱源側冷媒は、冷媒配管４の内部を移動し、凝縮器として動作している熱源側熱交換器１２の出口側に補充されるため、冷媒回路内で熱源側冷媒が不足して容量制御を適切に行なえなくなることを防ぐことができ、安定したＡＫ制御を行なうことができる。
【０１３４】
なお、ここで、ＡＫｍａｘ１、ＡＫｍｉｎ１、ＡＫｍａｘ２、ＡＫｍｉｎ２、ＡＫｍａｘ３は、値の大きい順に、ＡＫｍａｘ１、ＡＫｍａｘ２、ＡＫｍａｘ３、ＡＫｍｉｎ１、ＡＫｍｉｎ２となるように設定される。また、これらの値は、たとえばＡＫｍａｘ１は１００、ＡＫｍａｘ２は６０、ＡＫｍａｘ３は４０、ＡＫｍｉｎ１は２５、ＡＫｍｉｎ２は２０等とする。さらに、ＡＫｍｉｎ２はＡＫｍｉｎ１と同じ値であってもよい。
【０１３５】
ここでは、余剰冷媒回収配管４２及び余剰冷媒回収装置４３は、熱源側熱交換器１２（２）と冷媒流路遮断装置４１（２）の間の流路とアキュムレーター１９の入口側流路との間に接続されている場合を例に説明を行なったが、これらは、熱源側熱交換器１２（２）と冷媒流路遮断装置４１（１）の間の流路とアキュムレーター１９の入口側流路とを接続するようにしてもよいし、熱源側熱交換器１２（１）または熱源側熱交換器１２（２）と圧縮機１０の入口側流路とを接続するようにしてもよい。
【０１３６】
また、冷媒流路遮断装置４１（１）、冷媒流路遮断装置４１（２）、及び、余剰冷媒回収装置４３は、電磁弁のような開閉弁でもよいし、電子式のステッピングモーターにより、流路の開閉が行えるものでもよい。さらに、熱源側冷媒流量調整装置４５は、電子式のステッピングモーター等により連続的に、開口面積を変化させ、流量を制御させられるものがよいが、複数の電磁弁等を使用し、数段階に、開口面積を変化させるように構成してもよい。
熱源側熱交換器１２の分割は、分割された２つの熱交換器の内容積がほぼ同等になるようにすると、制御性がよい。しかし、これに限るものではなく、分割された２つの熱交換器の内容積が異なるように分割しても問題ない。
【０１３７】
ここでは、熱源側冷媒と水等の熱媒体との熱交換を行う熱媒体間熱交換器１５を備えたシステムを例に説明を行なったが、熱源側冷媒と熱媒体である空気との熱交換を行う熱媒体間熱交換器を収容した室内機と室外機との間を冷媒が循環する直膨式の空気調和装置においても、同様の方法で、室外熱交換器の熱量の制御を行うことができる。また、熱源側熱交換器１２が熱媒体と熱源側冷媒とを熱交換させる水冷式の熱源システムである場合においても、熱源側冷媒流量調整装置４５によって熱源側熱交換器１２の熱量の制御を行なうことができる。
【０１３８】
本実施の形態に係る空気調和装置（空気調和装置１００、空気調和装置１００Ａ（２））は、以上のように動作するため、運転状態によらず、熱源側熱交換器１２での熱量及び冷媒量を適切に制御でき、確実に省エネ運転を行うことができる。
【０１３９】
本実施の形態に係る空気調和装置では、利用側熱交換器２６にて暖房負荷または冷房負荷のみが発生している場合は、対応する第１熱媒体流路切替装置２２及び第２熱媒体流路切替装置２３を中間的な開度にし、熱媒体間熱交換器１５ａ及び熱媒体間熱交換器１５ｂの双方に熱媒体が流れるようにしている。これにより、熱媒体間熱交換器１５ａ及び熱媒体間熱交換器１５ｂの双方を暖房運転または冷房運転に使用することができるため、伝熱面積が大きくなり、効率のよい暖房運転または冷房運転を行なうことができる。
【０１４０】
また、利用側熱交換器２６にて暖房負荷と冷房負荷とが混在して発生している場合は、暖房運転を行なっている利用側熱交換器２６に対応する第１熱媒体流路切替装置２２及び第２熱媒体流路切替装置２３を加熱用の熱媒体間熱交換器１５ｂに接続される流路へ切り替え、冷房運転を行なっている利用側熱交換器２６に対応する第１熱媒体流路切替装置２２及び第２熱媒体流路切替装置２３を冷却用の熱媒体間熱交換器１５ａに接続される流路へ切り替えることにより、各室内機２にて、暖房運転、冷房運転を自由に行なうことができる。
【０１４１】
なお、本実施の形態で説明した第１熱媒体流路切替装置２２及び第２熱媒体流路切替装置２３は、三方弁等の三方流路を切り替えられるもの、開閉弁等の二方流路の開閉を行なうものを２つ組み合わせる等、流路を切り替えられるものであればよい。また、ステッピングモーター駆動式の混合弁等の三方流路の流量を変化させられるもの、電子式膨張弁等の二方流路の流量を変化させられるものを２つ組み合わせる等して第１熱媒体流路切替装置２２及び第２熱媒体流路切替装置２３として用いてもよい。この場合は、流路の突然の開閉によるウォーターハンマーを防ぐこともできる。さらに、本実施の形態では、熱媒体流量調整装置２５が二方弁である場合を例に説明を行なったが、三方流路を持つ制御弁とし利用側熱交換器２６をバイパスするバイパス管と共に設置するようにしてもよい。
【０１４２】
また、熱媒体流量制御装置２５は、ステッピングモーター駆動式で流路を流れる流量を制御できるものを使用するとよく、二方弁でも三方弁の一端を閉止したものでもよい。また、熱媒体流量制御装置２５として、開閉弁等の二法流路の開閉を行うものを用い、ＯＮ／ＯＦＦを繰り返して平均的な流量を制御するようにしてもよい。
【０１４３】
また、第２冷媒流路切替装置１８が二方流路切替弁であるかのように示したが、これに限るものではなく、三方流路切替弁を複数個用い、同じように冷媒が流れるように構成してもよい。また、四方弁を用いて第２冷媒流路切替装置１８を構成するようにしてもよい。
【０１４４】
本実施の形態に係る空気調和装置は、冷房暖房混在運転ができるものとして説明をしてきたが、これに限定するものではない。たとえば、熱媒体間熱交換器１５及び絞り装置１６がそれぞれ１つで、それらに複数の利用側熱交換器２６と熱媒体流量調整装置２５が並列に接続され、冷房運転か暖房運転のいずれかしか行なえない構成であっても同様の効果を奏する。
【０１４５】
また、利用側熱交換器２６と熱媒体流量調整装置２５とが１つしか接続されていない場合でも同様のことが成り立つのは言うまでもなく、更に熱媒体間熱交換器１５及び絞り装置１６として、同じ動きをするものが複数個設置されていても、当然問題ない。さらに、熱媒体流量調整装置２５は、熱媒体変換機３に内蔵されている場合を例に説明したが、これに限るものではなく、室内機２に内蔵されていてもよく、熱媒体変換機３と室内機２とは別体に構成されていてもよい。
【０１４６】
熱源側冷媒としては、たとえばＲ−２２、Ｒ−１３４ａ等の単一冷媒、Ｒ−４１０Ａ、Ｒ−４０４Ａ等の擬似共沸混合冷媒、Ｒ−４０７Ｃ等の非共沸混合冷媒、化学式内に二重結合を含む、ＣＦ3 ＣＦ＝ＣＨ2 等の地球温暖化係数が比較的小さい値とされている冷媒やその混合物、あるいはＣＯ2 やプロパン等の自然冷媒を用いることができる。加熱用として動作している熱媒体間熱交換器１５ａまたは熱媒体間熱交換器１５ｂにおいて、通常の二相変化を行う冷媒は、凝縮液化し、ＣＯ2 等の超臨界状態となる冷媒は、超臨界の状態で冷却されるが、どちらでも、その他は同じ動きをし、同様の効果を奏する。
【０１４７】
熱媒体としては、たとえばブライン（不凍液）や水、ブラインと水の混合液、水と防食効果が高い添加剤の混合液等を用いることができる。したがって、空気調和装置１００においては、熱媒体が室内機２を介して室内空間７に漏洩したとしても、熱媒体に安全性の高いものを使用しているため安全性の向上に寄与することになる。
【０１４８】
また、一般的に、熱源側熱交換器１２及び利用側熱交換器２６には、送風機が取り付けられており、送風により凝縮あるいは蒸発を促進させる場合が多いが、これに限るものではない。たとえば、利用側熱交換器２６としては放射を利用したパネルヒーターのようなものを用いることもできるし、熱源側熱交換器１２としては、水や不凍液により熱を移動させる水冷式のタイプのものを用いることもできる。つまり、熱源側熱交換器１２及び利用側熱交換器２６としては、放熱あるいは吸熱をできる構造のものであれば種類を問わず、用いることができる。
【０１４９】
本実施の形態では、利用側熱交換器２６が４つである場合を例に説明したが、個数を特に限定するものではない。また、熱媒体間熱交換器１５ａ、熱媒体間熱交換器１５ｂが２つである場合を例に説明したが、当然、これに限るものではなく、熱媒体を冷却または／及び加熱できるように構成すれば、幾つ設置してもよい。さらに、ポンプ２１ａ、ポンプ２１ｂはそれぞれ一つとは限らず、複数の小容量のポンプを並列に並べて接続してもよい。
【０１５０】
なお、本実施の形態で説明した第１熱媒体流路切替装置２２及び第２熱媒体流路切替装置２３は、三方弁等の三方流路を切り替えられるもの、開閉弁等の二方流路の開閉を行なうものを２つ組み合わせる等、流路を切り替えられるものであればよい。また、ステッピングモーター駆動式の混合弁等の三方流路の流量を変化させられるもの、電子式膨張弁等の二方流路の流量を変化させられるものを２つ組み合わせる等して第１熱媒体流路切替装置２２及び第２熱媒体流路切替装置２３として用いてもよい。この場合は、流路の突然の開閉によるウォーターハンマーを防ぐこともできる。さらに、本実施の形態では、熱媒体流量調整装置２５がステッピングモーター駆動式の二方弁である場合を例に説明を行なったが、三方流路を持つ制御弁とし利用側熱交換器２６をバイパスするバイパス管と共に設置するようにしてもよい。
【０１５１】
また、熱媒体流量調整装置２５は、ステッピングモーター駆動式で流路を流れる流量を制御できるものを使用してもよいし、二方弁でも、三方弁の一端を閉止したものでもよい。また、熱媒体流量調整装置２５として、開閉弁等の二法流路の開閉を行なうものを用い、ＯＮ／ＯＦＦを繰り返して平均的な流量を制御するようにしてもよい。
【０１５２】
また、第２冷媒流路切替装置１８が四方弁である場合を説明したが、これに限るものではなく、二方流路切替弁や三方流路切替弁を複数個用い、同じように冷媒が流れるように構成してもよい。
【０１５３】
本実施の形態に係る空気調和装置１００は、冷房暖房混在運転ができるものとして説明をしてきたが、これに限定するものではない。熱媒体間熱交換器１５及び絞り装置１６がそれぞれ１つで、それらに複数の利用側熱交換器２６と熱媒体流量調整装置２５が並列に接続され、冷房運転か暖房運転のいずれかしか行なえない構成であっても同様の効果を奏する。
【０１５４】
また、利用側熱交換器２６と熱媒体流量調整装置２５とが１つしか接続されていない場合でも同様のことが成り立つのは言うまでもなく、更に熱媒体間熱交換器１５及び絞り装置１６として、同じ動きをするものが複数個設置されていても、当然問題ない。さらに、熱媒体流量調整装置２５は、熱媒体変換機３に内蔵されている場合を例に説明したが、これに限るものではなく、室内機２に内蔵されていてもよく、熱媒体変換機３と室内機２とは別体に構成されていてもよい。
【０１５５】
熱源側冷媒としては、たとえばＲ−２２、Ｒ−１３４ａ等の単一冷媒、Ｒ−４１０Ａ、Ｒ−４０４Ａ等の擬似共沸混合冷媒、Ｒ−４０７Ｃ等の非共沸混合冷媒、化学式内に二重結合を含む、ＣＦ３  ＣＦ＝ＣＨ２  等の地球温暖化係数が比較的小さい値とされている冷媒やその混合物、あるいはＣＯ２  やプロパン等の自然冷媒を用いることができる。加熱用として動作している熱媒体間熱交換器１５ａまたは熱媒体間熱交換器１５ｂにおいて、通常の二相変化を行なう冷媒は、凝縮液化し、ＣＯ２  等の超臨界状態となる冷媒は、超臨界の状態で冷却されるが、どちらでも、その他は同じ動きをし、同様の効果を奏する。
【０１５６】
熱媒体としては、たとえばブライン（不凍液）や水、ブラインと水の混合液、水と防食効果が高い添加剤の混合液等を用いることができる。したがって、空気調和装置１００においては、熱媒体が室内機２を介して室内空間７に漏洩したとしても、熱媒体に安全性の高いものを使用しているため安全性の向上に寄与することになる。
【０１５７】
本実施の形態では、空気調和装置１００にアキュムレーター１９を含めている場合を例に説明したが、アキュムレーター１９を設けなくてもよい。また、本実施の形態では、空気調和装置１００に逆止弁１３ａ〜逆止弁１３ｄがある場合を例に説明したが、これらも必須の部品ではない。したがって、アキュムレーター１９や逆止弁１３ａ〜逆止弁１３ｄを設けなくても、同様の動作をし、同様の効果を奏することは言うまでもない。
【０１５８】
また、一般的に、熱源側熱交換器１２及び利用側熱交換器２６には、送風機が取り付けられており、送風により凝縮あるいは蒸発を促進させる場合が多いが、これに限るものではない。たとえば、利用側熱交換器２６としては放射を利用したパネルヒーターのようなものを用いることもできるし、熱源側熱交換器１２としては、水や不凍液により熱を移動させる水冷式のタイプのものを用いることもできる。つまり、熱源側熱交換器１２及び利用側熱交換器２６としては、放熱あるいは吸熱をできる構造のものであれば種類を問わず、用いることができる。また、利用側熱交換器２６の個数を特に限定するものではない。
【０１５９】
本実施の形態では、第１熱媒体流路切替装置２２、第２熱媒体流路切替装置２３、及び、熱媒体流量調整装置２５が、各利用側熱交換器２６にそれぞれ１つずつ接続されている場合を例に説明したが、これに限るものではなく、１つの利用側熱交換器２６に対し、それぞれが複数接続されていてもよい。この場合には、同じ利用側熱交換器２６に接続されている、第１熱媒体流路切替装置、第２熱媒体流路開閉装置、熱媒体流量調整装置を同じように動作させればよい。
【０１６０】
また、本実施の形態では、熱媒体間熱交換器１５が２つある場合を例に説明したが、当然、これに限るものではない。熱媒体を冷却または／及び加熱できるように構成すれば、熱媒体間熱交換器１５をいくつ設置してもよい。
【０１６１】
また、ポンプ２１ａ及びポンプ２１ｂは、それぞれ一つとは限らず、複数の小容量のポンプを並列に並べて使用してもよい。
【０１６２】
以上のように、本実施の形態に係る空気調和装置は、熱媒体側の熱媒体流路切替装置（第１熱媒体流路切替装置２２及び第２熱媒体流路切替装置２３）、熱媒体流量調整装置２５、ポンプ２１を制御することにより、安全かつ省エネルギー性の高い運転を実行することができる。
【符号の説明】
【０１６３】
１  室外機、２  室内機、２ａ  室内機、２ｂ  室内機、２ｃ  室内機、２ｄ  室内機、３  熱媒体変換機、３ａ  親熱媒体変換機、３ｂ  子熱媒体変換機、４  冷媒配管、４ａ  第１接続配管、４ｂ  第２接続配管、４ｃ  バイパス配管、５  配管、６  室外空間、７  室内空間、８  空間、９  建物、１０  圧縮機、１１  第１冷媒流路切替装置、１２  熱源側熱交換器、１３ａ  逆止弁、１３ｂ  逆止弁、１３ｃ  逆止弁、１３ｄ  逆止弁、１４  気液分離器、１５  熱媒体間熱交換器、１５ａ  熱媒体間熱交換器、１５ｂ  熱媒体間熱交換器、１６  絞り装置、１６ａ  絞り装置、１６ｂ  絞り装置、１６ｃ  絞り装置、１７  開閉装置、１７ａ  開閉装置、１７ｂ  開閉装置、１８  第２冷媒流路切替装置、１８ａ  第２冷媒流路切替装置、１８ｂ  第２冷媒流路切替装置、１９  アキュムレーター、２１  ポンプ、２１ａ  ポンプ、２１ｂ  ポンプ、２２  第１熱媒体流路切替装置、２２ａ  第１熱媒体流路切替装置、２２ｂ  第１熱媒体流路切替装置、２２ｃ  第１熱媒体流路切替装置、２２ｄ  第１熱媒体流路切替装置、２３  第２熱媒体流路切替装置、２３ａ  第２熱媒体流路切替装置、２３ｂ  第２熱媒体流路切替装置、２３ｃ  第２熱媒体流路切替装置、２３ｄ  第２熱媒体流路切替装置、２５  熱媒体流量調整装置、２５ａ  熱媒体流量調整装置、２５ｂ  熱媒体流量調整装置、２５ｃ  熱媒体流量調整装置、２５ｄ  熱媒体流量調整装置、２６  利用側熱交換器、２６ａ  利用側熱交換器、２６ｂ  利用側熱交換器、２６ｃ  利用側熱交換器、２６ｄ  利用側熱交換器、３１  第１温度センサー、３１ａ  第１温度センサー、３１ｂ  第１温度センサー、３４  第２温度センサー、３４ａ  第２温度センサー、３４ｂ  第２温度センサー、３４ｃ  第２温度センサー、３４ｄ  第２温度センサー、３５  第３温度センサー、３５ａ  第３温度センサー、３５ｂ  第３温度センサー、３５ｃ  第３温度センサー、３５ｄ  第３温度センサー、３６  圧力センサー、４１  冷媒流路遮断装置、４２  余剰冷媒回収配管、４３  余剰冷媒回収装置、４４  熱源側送風装置、４５  熱源側冷媒流量調整装置、４６  流路切替部、４７  流路切替部、１００  空気調和装置、１００Ａ（１）  空気調和装置、１００Ａ（２）  空気調和装置、Ａ  冷媒循環回路、Ｂ  熱媒体循環回路。
【図１】
0005511838.tif 000003
【図２】
0005511838.tif 000004
【図３】
0005511838.tif 000005
【図４】
0005511838.tif 000006
【図５】
0005511838.tif 000007
【図６】
0005511838.tif 000008
【図７】
0005511838.tif 000009
【図８】
0005511838.tif 000010
【図９】
0005511838.tif 000011
【図１０】
0005511838.tif 000012
【図１１】
0005511838.tif 000013